(57)【要約】【解決手段】  パターンを有するようになされた、または他の処理を受けた前面を有する、擁壁用ブロックの高速、大量生産を可能にする型枠とプロセスおよび、そのような工程により形成される擁壁用ブロック。本発明はブロック（１０）の前面（１２）がパターンを刻まれたり、直接処理されることを可能とし、所定のブロック前面の形成を可能にすると、同時に、高速で、多量のブロック（１０）の製造を容易にしている。所定の前面（１２）は所定のパターンと表面構造（ｔｅｘｔｕｒｅ）を有する前面であること、前面（１２）が所定の形状を有する前面（１２）であること、また、前面（１２）がブロック（１０）の残りの部分と異なった材料で作られる前面（１２）であること、また、これらの組み合わせであることを含む。
2005515090.tif 000002
【特許請求の範囲】
【請求項１】
上面と、下面と、前面と、後面と、対向する側面と、ブロックの下面の下に延びる一体のフランジと、を有するメーソンリーブロックを製造するプロセスであって、上記方法は、
開放上部と開放底を有する型枠キャビティを区画する複数の側壁を有した型枠を供し、第１の側壁が型枠キャビティのこの開放底の近隣のアンダーカット部を有している、ステップと、
型枠キャビティの開放底を一時的に閉じるために、型枠の下にパレットを位置付けし、これにより、パレットは第１の側壁のアンダーカット部と協働して、型枠キャビティのフランジ成型サブキャビティを区画するステップと、
開放型枠上部を通して、型枠キャビティにドライ成型メーソンリーコンクリートを注入するステップと、
ブロックの後面がパレット上に置かれていて、ブロックの前面が上向きである、前養生したメーソンリーブロックを形成するために、ドライ成型メーソンリーコンクリートを圧縮する、ステップと、
型枠キャビティの一時的に閉じられていた底を再開放するステップと、
型枠キャビティの再開放された底を通し型枠キャビティから前養生したメーソンリーブロックを排出するステップと、
前養生したメーソンリーブロックを養生するステップと、を有するプロセス。
【請求項２】
請求項１記載のプロセスにより、生産されたメーソンリーブロック。
【請求項３】
請求項１のプロセスであって、さらに、前記型枠キャビティにドライ成型メーソンリーコンクリートを注入する前記ステップにつづいて、３次元パターンを有する面を有するストリッパーシューを前記型枠キャビティに前記型枠キャビティの前記開放上部を通して導入するステップと、前記型枠キャビティに収容される前記ドライ成型メーソンリーコンクリート上に前記ストリッパーシューの前記パターンを有する面をプレスし、前記前養生されたメーソンリーブロックの前記前面にパターンを形成する、ステップとを有するプロセス。
【請求項４】
請求項３記載のプロセスにより、生産されたメーソンリーブロック。
【請求項５】
前記ストリッパーシューの前記面の前記パターンは自然石を模したことを特徴とする請求項３記載のプロセス。
【請求項６】
請求項５記載のプロセスにより、生産されたメーソンリーブロック。
【請求項７】
前記圧縮ステップが型枠キャビティ内のコンクリートを振動させることを含むことを特徴とする請求項５記載のプロセス。
【請求項８】
前記第１の側壁に概して、垂直の、前記型枠の第２の側壁は第１の収束側壁部が、コンクリートを注入する前記ステップの直前に垂直に対して角度をもって、方向付けられ、そのため、コンクリート注入ステップと圧縮ステップの間、型枠キャビティはその上部で幅がその底より広く、そして、前記型枠の前記第１の収束側壁部が可動に取り付けられ、そして、前記前養生されたメーソンリーブロックが前記型枠キャビティの前記再開放された底を通じて、排出されるのを可能にするため、前記型枠キャビティの前記底が前記型枠キャビティの前記上部と少なくとも同じ幅になる位置に前記第１の収束壁部を移動するステップを含む請求項１記載のプロセス。
【請求項９】
請求項８のプロセスにより、生産されたメーソンリーブロック。
【請求項１０】
前記第２の側壁に対向する前記型枠の前記側壁が、前記第１の収束側壁部に対向する第２の収束側壁部を含み、前記第２の収束側壁部が、前記コンクリートを注入する前記ステップの直前に垂直に対してある角度をもって、方向付けられ、そのため、前記コンクリートを注入するステップと前記圧縮ステップの間、前記型枠キャビティはその上部で幅がその底より広く、そして、前記第２の収束側壁部が可動に取り付けられ、そして、前記前養生されたメーソンリーブロックが前記型枠キャビティの前記再開放された底を通じて、排出されるのを可能にするため、前記型枠キャビティの前記底が前記型枠キャビティの前記上部と少なくとも同じ幅になる位置に前記第２の収束壁部を移動するステップを含む、請求項８記載のプロセス。
【請求項１１】
前記型枠の前記側壁の前記第１と第２の収束部はそれらのコンクリートの注入前の角度付けをされた方向に付勢力によって付勢される、そして、前記付勢力は、前記前養生されたメーソンリーブロックが前記型枠から排出されるように開放されることを特徴とする請求項１０記載のプロセス。
【請求項１２】
前記付勢力は、エアーバックによって、与えられることを特徴とする請求項１１記載のプロセス。
【請求項１３】
前記型枠キャビティの前記一時的に閉じた底は再開放され、前記前養生されたメーソンリーブロックは、前記型枠に対し前記パレットを下げることによって、前記型枠キャビティの前記開放底を通して、排出されることを特徴とする請求項１のプロセス。
【請求項１４】
前記型枠は複数の前記型枠キャビティを含み、単一のパレットと共に作動して、複数のブロックを同時に成形することを特徴とする請求項１記載のプロセス。
【請求項１５】
上面と、下面と、パターンを有する前面と、後面と、対向する側面とを有するメーソンリーブロックを製造するプロセスであって、第１の前記側面が、前記側面が前記後面に向かって延びるにつれ、前記第２の側面に向かって収束する第１の収束部を有する、メーソンリーブロックを製造するプロセスであって、上記方法は、
開放上部と開放底を有する型枠キャビティを区画する複数の側壁を有する型枠を供し、前記型枠の一つの側壁が、垂直に対して角度をもって、方向付けられる第１の収束壁部を有し、そのため、前記型枠キャビティはその上部で幅をその底より広くする、ステップと、
前記型枠キャビティの開放底を一時的に閉じるために、前記型枠の下にパレットを位置付けし、これにより、前記パレットは前記第１の側壁の前記アンダーカット部と協働して、前記型枠キャビティのフランジ成型サブキャビティを区画、するステップと、
前記開放型枠上部を通して、前記型枠キャビティにドライ成型メーソンリーコンクリートを注入するステップと、
前記ブロックの後面が前記パレット上に置かれ、前記ブロックの前記前面が上向きの状態で、前養生されたメーソンリーブロックを形成するため、前記ドライ成型メーソンリーコンクリートを圧縮するステップであって、前記圧縮ステップは、前記前養生されたメーソンリーブロックの前面にパターンを与えるため、３次元パターンを有する面を有するストリッパーシューを前記型枠キャビティの前記開放上部を通して、型枠キャビティに導入することと、前記ストリッパーシューの前記パターンを有する面を型枠キャビティに収容されるドライ成型キャビティに収容されるドライ成型メーソンリーコンクリート上に押し付けることと、を含んだステップ、と、
前記型枠キャビティの一時的に閉じられた底を再開放するステップと、
前記前養生されたメーソンリーブロックが前記型枠キャビティの前記再開放された底を通じて、排出されるのを可能にするため、前記型枠の前記第１の収束側壁部を前記型枠キャビティの前記底が型枠キャビティの前記上部と少なくとも同じ幅になる位置に前記第１の位置に移動するステップと、
型枠キャビティの再開放された底を通し型枠キャビティから前記前養生したメーソンリーブロックを排出するステップと、
前記前養生したメーソンリーブロックを養生するステップと、を有するプロセス。
【請求項１６】
請求項１５のプロセスにより、生産されたメーソンリーブロック。
【請求項１７】
前記圧縮ステップは前記型枠に収容される前記コンクリートを振動することを含む請求項１６記載のプロセス。
【請求項１８】
前記１つの側壁に対向する前記型枠の前記側壁が、前記第１の収束側壁部に対向する第２の収束側壁部を含み、前記第２の収束側壁部が、前記コンクリートを注入するステップの直前に垂直に対してある角度をもって、方向付けられ、そのため、前記コンクリートを注入するステップと前記圧縮ステップの間、前記型枠キャビティはその上部で幅がそれの底より広く、そして、前記第２の収束側壁部が可動に取り付けられ、そして、前記前養生されたメーソンリーブロックが前記型枠キャビティの前記再開放された底を通じて、排出されるのを可能にするため、前記型枠キャビティの前記底が前記型枠キャビティの前記上部と少なくとも同じ幅になる位置に前記第２の収束壁部を移動するステップを含む請求項１５記載のプロセス。
【請求項１９】
請求項１８記載のプロセスにより、生産されたメーソンリーブロック。
【請求項２０】
前記型枠の前記側壁の前記第１と第２の収束部は付勢力によってコンクリートの注入前の斜め配行位置にそれぞれ，付勢され、そして、前記付勢力解放することによって、前記前養生されたメーソンリーブロックが前記型枠から排出されることを特徴とする請求項１８のプロセス。
【請求項２１】
前記付勢力は、エアーバックによって、与えられることを特徴とする請求項２０記載のプロセス。
【請求項２２】
前記型枠キャビティの前記一時的に閉じた底は再開放され、前記前養生されたメーソンリーブロックは、前記型枠に対し前記パレットを下げることによって、前記型枠キャビティの前記開放底を通して、排出されることを特徴とする請求項１５記載のプロセス。
【請求項２３】
前記型枠は複数の前記型枠キャビティを含み、これが単一のパレットと共に作動して、複数のブロックを同時に成形することを特徴とする請求項１５記載のプロセス。
【請求項２４】
上面と、下面と、前面と、後面と、対向する側面と、ブロックの下面の下に延びる一体のフランジとを有する前養生されたドライ成型メーソンリーブロックを形成する型枠アッセンブリであって、前記型枠アッセンブリは、
開放型枠上部と開放型枠底を有する型枠キャビティを区画する複数の側壁を有し、前記型枠キャビティの前記開放底を閉じるパッレットと共に前記開放型枠底に近いアンダーカットを含む第１の前記側壁が前記型枠キャビティのフランジ形成サブキャビティを区画することを特徴とする前記型枠アッセンブリ。
【請求項２５】
前記前養生されたコンクリートブロックの前記前面にパターンを与えるため、前記型枠キャビティに収容されるドライ成型コンクリート上に前記ストリッパーシューの前記パターンを有する面をプレスするため、前記型枠キャビティに前記型枠キャビティの前記開放上部を通して導入される、３次元パターンを有する面を有するストリッパーシューを有する請求項２４記載の型枠アッセンブリ。
【請求項２６】
前記ストリッパーシューの前記面の前記パターンは自然石を模したことを特徴とする請求項２５記載の型枠アッセンブリ。
【請求項２７】
前記ストリッパーシューはパターンを有する面の周囲を囲むフランジを含み、前記フランジはメーソンリーブロックの前面上の丸めエッジを形成するように、弓状であることを特徴とする請求項２６記載の型枠アッセンブリ。
【請求項２８】
前記アンダーカットを有する前記側壁の残りは実質平面で、実質垂直に延びていることを特徴とする請求項２４記載の型枠アッセンブリ。
【請求項２９】
前記型枠の第２の側壁は概して、前記第１の側壁に垂直であって、第１の収束側壁部を有し、これが、可動に取り付けられ、そのため、ドライ成型メーソンリーコンクリートが前記型枠キャビティに注入されるとき、前記型枠キャビティの上部がその底より広くなるよう、垂直に対し角度を有する位置と、前養生されたメーソンリーブロックを前記型枠キャビティの前記底から排出されるのを可能とするため、前記型枠キャビティの前記底と上部とが少なくとも同じ幅になる位置との間で可動であることを特徴とする請求項２４記載の型枠アッセンブリ。
【請求項３０】
前記第２の側壁に対向する前記型枠の前記側壁は前記第１の収束側壁部に対向する第２の収束壁部を有し、前記第２の収束側壁部が可動に取り付けられ、そのため、ドライ成型メーソンリーコンクリートが前記型枠キャビティに注入されるとき、前記型枠キャビティの上部がその底より広くなるよう、垂直に対し角度を有する位置と、前養生されたメーソンリーブロックを前記型枠キャビティの前記底から排出されるのを可能とするため、前記型枠キャビティの前記底と上部とが少なくとも同じ幅になる位置との間で可動であることを特徴とする請求項２９記載の型枠アッセンブリ。
【請求項３１】
前記収束側壁部が開放型枠上部に近接したその端部近くで、廻旋することを特徴とする請求項３０記載の型枠アッセンブリ。
【請求項３２】
前記収束側壁部の各々を角度付けされた位置に付勢する機構をさらに含む請求項３０記載の型枠アッセンブリ。
【請求項３３】
前記収束側壁部の各々を付勢する前記機構は前記収束側壁部の各々に接続されるエアーバックを有する請求項３２記載の型枠アッセンブリ。
【請求項３４】
前記収束側壁部の各々が実質平面で、前記型枠キャビティに面することを特徴とする請求項３０記載の型枠アッセンブリ。
【請求項３５】
複数の前記型枠キャビティを有し、これらが、複数のブロックを同時に成形するため、単１のパレットと共に作動することを特徴とする請求項２４記載の型枠アッセンブリ。
【請求項３６】
上面と、下面と、前面と、後面と、対向する側面と、ブロックの下面の下に延びる一体のフランジとを有する、前養生されたドライ成型メーソンリーブロックを形成する型枠アッセンブリであって、前記型枠アッセンブリは、
開放型枠上部と開放型枠底を有する型枠キャビティを区画する複数の側壁であって、前記型枠の第１の前記側壁が、第１の収束壁部を有し、可動に取り付けられ、そのため、ドライ成型メーソンリーコンクリートが前記型枠キャビティに注入されるとき、前記型枠キャビティの上部がその底より広くなるよう、垂直に対し角度を有する位置と、前記前養生されたメーソンリーブロックを前記型枠キャビティの前記底を通して、排出されるのを可能とするため、前記型枠キャビティの底が型枠キャビティの上部と幅が少なくとも同じになる位置との間が可動となっている、前記複数の側壁と、
前記型枠キャビティに前記型枠キャビティの前記開放上部を通して導入し、前記型枠キャビティに収容されるドライ成型メーソンリーコンクリート上に前記ストリッパーシューの前記パターンを有する面をプレスし、前記前養生されたメーソンリーブロックの前記前面にパターンを与えるための３次元パターンを有する面を有するストリッパーシューと、を有する型枠アッセンブリ。
【請求項３７】
前記ストリッパーシューの前記面の前記パターンは自然石を模したことを特徴とする請求項３６記載の型枠アッセンブリ。
【請求項３８】
前記ストリッパーシューはパターンを有する面の周囲を囲むフランジを含み、前記フランジはメーソンリーブロックの前面上の丸めエッジを形成するように、弓状であることを特徴とする請求項３７記載の型枠アッセンブリ。
【請求項３９】
前記１つの側壁に対向する前記型枠の前記側壁は前記第１の収束側壁部に対向する第２の収束壁部を有し、前記第２の収束側壁部が可動に取り付けられ、そのため、ドライ成型メーソンリーコンクリートが前記型枠キャビティに注入されるとき、前記型枠キャビティの上部がその底より広くなるよう、垂直に対し角度を有する位置と、前養生されたメーソンリーブロックを前記型枠キャビティの前記底から排出されるのを可能とするため、前記型枠キャビティの前記底と上部とが少なくとも同じ幅になる位置との間で可動であることを特徴とする請求項２９記載の型枠アッセンブリ。
【請求項４０】
前記収束側壁部が開放型枠上部に近接したその端部近くで、廻旋することを特徴とする請求項３９記載の型枠アッセンブリ。
【請求項４１】
前記収束側壁部の各々を角度付けされた位置に付勢する機構をさらに含む請求項３９記載の型枠アッセンブリ。
【請求項４２】
前記収束側壁部の各々を付勢する機構は前記収束側壁部の各々に接続されるエアーバックを有する請求項４１記載の型枠アッセンブリ。
【請求項４３】
前記収束側壁部の各々が実質平面で、前記型枠キャビティに面することを特徴とする請求項３９記載の型枠アッセンブリ。
【請求項４４】
複数の前記型枠キャビティを有し、これが、複数のブロックを同時に成形するため、単１のパレットと共に動作することを特徴とする請求項３６記載の型枠アッセンブリ。
【請求項４５】
土擁壁の建設の使用に適した大量生産ドライ成型コンクリートメーソンリーブロックであって、
上面と、
前記ブロックが壁を形成するために一緒に積まれるときにブロックの連続した段（コース）におけるブロックの上面間が概して、平行な関係を保つため、近隣のブロックの上面と結合するのに適した下面と、
前記上面と下面とをつなぐパターンを有する前面であって、前記パターンは、前記パターンを有する前面のミラーイメージを有する可動のストリッパーの動作による成型工程の間に前記ブロックの前記前面に与えられる、前面と、
後面と、
前記前面と後面とをつなぐ第１の概して垂直な側面と、
前記第１の側壁に対向し、前記前面と後面とをつなぐ第２の概して垂直な側壁と、
前記ブロックの下の段の異なったブロックの後面に前記ブロックをかみ合わせるのに適した表面を与え、そのため、そのようなブロックから構成される擁壁に所定のセットバックを与える、前記ブロックの下面の下を延びるフランジと、を有するメーソンリーブロック。
【請求項４６】
第１の前記側面の第１の収束部は、前記側面が前記後面に向かって延びるにつれ、第２の側面に向かって、収束し、前記第１の収束部は前記成型工程中に可動の成型表面によって形成されることを特徴とする請求項４５記載のメーソンリーブロック。
【請求項４７】
前記第２の側面の第２の収束部をさらに有し、これが、前記側面が後面に向かって延びるにつれ、第１の側壁に向かって、収束し、前記第２の収束部は前記成型工程中に可動の成型表面によって形成されることを特徴とする請求項４６記載のメーソンリーブロック。
【請求項４８】
前記ブロックの前記前面が概して、垂直であることを特徴とする請求項４５記載のメーソンリーブロック。
【請求項４９】
前記ブロックの下面と交差する下エッジより、前記ブロックの上面と交差する前面の上エッジは前記ブロックの後面により近くなるように、前記前面が方向付けられることを特徴とする請求項４５のメーソンリーブロック。
【請求項５０】
前記前面の下エッジよりも、前記前面の上エッジの方が前記ブロックの前記後面に所定のセットバックにほぼ等しい距離だけ近いことを特徴とする請求項４８記載のメーソンリーブロック。
【請求項５１】
前記成型工程の間，各側面の少なくとも一部は、表面構造加工される（ｔｅｘｔｕｒｅｄ）ことを特徴とする請求項５１記載のメーソンリーブロック。
【請求項５２】
前記ブロックの前記パターンを有する前面は少なくとも、０．５インチの起伏を有することを特徴とする請求項４５のメーソンリーブロック。
【請求項５３】
土擁壁の建設の使用に適した大量生産ドライ成型コンクリートメーソンリーブロックであって、
上面と、
前記ブロックが壁を形成するために一緒に積まれるときにブロックの連続した段（コース）におけるブロックの上面間が概して、平行な関係を保つため、近隣のブロックの上面と結合するのに適した下面と、
前記上面と下面とをつなぐパターンを有する前面であって、前記パターンは、前記パターンを有する前面のミラーイメージを有する可動のストリッパーの動作による成型工程の間に前記ブロックの前記前面に与えられる、前面と、
後面と、
前記前面と後面とをつなぐ第１の概して垂直な側面と、
前記第１の側壁に対向し、前記前面と後面とをつなぐ第２の概して垂直な側壁と、を有し、
前記第１の側面の第１の収束部が、前記側面が後面に延びるにつれ、第２の側面に向かって、収束し、そして、前記第１の収束部は前記成型工程中に可動の成型表面によって形成されることを特徴とするメーソンリーブロック。
【請求項５４】
前記第１の側面の前記第１の収束部に対向する前記第２の側面の第２の収束部をさらに含み、前記側面が前記後面に延びるにつれ、前記第１の側壁に向かって、前記第２の収束部が収束し、前記第２の収束部は前記成型工程中に可動の成型表面によって形成されることを特徴とする請求項５３記載のメーソンリーブロック。
【請求項５５】
前記ブロックの前記前面が概して、垂直であることを特徴とする請求項５３記載のメーソンリーブロック。
【請求項５６】
前記ブロックの前記下面と交差する下エッジより、前記ブロックの上面と交差する前面の上エッジは前記ブロックの前記後面により近くなるように、前記前面が方向付けられることを特徴とする請求項５３記載のメーソンリーブロック。
【請求項５７】
前記前面の下エッジよりも、前記前面の上エッジの方が前記ブロックの前記後面に所定のセットバックにほぼ等しい距離だけ近いことを特徴とする請求項５５記載のメーソンリーブロック。
【請求項５８】
前記成型工程の間，各側面の少なくとも１部は、表面構造加工される（ｔｅｘｔｕｒｅｄ）ことを特徴とする請求項５３記載のメーソンリーブロック。
【請求項５９】
前記ブロックの前記パターンを有する前面は少なくとも、０．５インチの起伏を有することを特徴とする請求項５３記載のメーソンリーブロック。
【発明の詳細な説明】
【技術分野】
【０００１】
本願は２００２年１２月２７日付け、アンカーウォールシステムズ、インクの名義で、ＰＣＴ国際特許出願として、米国を除くすべての国を指定して出願するものである。
本発明は、概して、コンクリートメーソンリーブロックおよびその製造に関する。より詳しくは、本発明は、例えば、擁壁等の造園設計応用の使用に適するコンクリートメーソンリーブロックに関し、また、そのようなブロックの製造に有用な製造工程に関する。
【背景技術】
【０００２】
近年、高速化され、自動化されたコンクリートブロックプラント、およびコンクリート舗装板プラントは、上面及び底面が開放される型枠を利用している。この型枠はその底面を閉じるように型枠の下に周期的にパッレットを配置する機械に取り付けられる。この型枠の開放された上面を通して、型枠中にドライ成型コンクリートが供給され、振動及び、圧力の組み合わせにより、コンクリートが凝縮され、また、パレットと型枠との垂直方向の相対的な動きによって、型枠が外される。
【０００３】
このようなプラントやこの工程を果たすために用いられる装置の性質から、コンクリートブロックの面に自然な外観を与えることは、困難である。特に、そのブロックが他の特徴を有する必要があるとき、例えば、側面が収束する場合や、一体化したロケータシェアフランジが、ブロックの上面および、または、底面に成型される場合は、困難である。米国特許５，８２７，０１５は、擁壁用ブロックとして使用されるのに適したコンクリートメーソンリーブロックおよび、高速で自動化されたコンクリートブロックプラントにおいて、そのようなユニットを製造する共通な方法を開示している、本願はこれを参照して本願に併合する。
【０００４】
予め成型されたコンクリートメーソンリーユニットに対する要求があり、特に、側面が収束する擁壁用ブロックおよび、また一体化したロケータシェアフランジが、上面および、また、底面に成型されるものや、米国特許に開示された分離工程によって、得られるものや、米国特許６，３２１，７４０に開示された分離工程のものより、より自然な外観を有するものへの要求がある。本願は米国特許６，３２１，７４０を参照して本願に併合する。特に、そのような面を有するそのようなブロックをコンクリートブロックまたはコンクリート舗装板に共通な型の設備上で、高速で自動的に、作ることが可能な工程および道具に対する要求がある。
【発明の開示】
【０００５】
本発明はコンクリートメーソンリーユニットおよび、特に擁壁用ブロックを高速で大量生産可能な型枠および工程に関する。これらの型枠および工程はそのようなブロック上に、米国特許５，８２７，０１５に開示されている分割表面と同様な、比較的簡単な装飾表面を作る場合に用いることができる。これらの型枠および工程は、従来の転がし（ｔｕｍｂｌｉｎｇ）またはハンマミル（ｈｕｍｍｅｒｍｉｌｌ）工程によりものや、米国特許６，３２１，７４０に開示されている工程により、分割され、傷つけられた面（ｄｉｓｔｒｅｓｓｅｄ  ｆａｃｅｓ）と同様な、より複雑な前面をそのようなブロック上に作る場合に用いることができる。これらの型枠および工程はこれまで得られなかったユニークなブロックも作ることが出来る。即ち、収束する側壁を有するおよび、または、一体化したロケータやシェアフランジを有し、前面が著しくより複雑な面を有する前面を有する擁壁用ブロックであって、この複雑な面はドライ成型コンクリートブロック技術にこれまで得られなかった魅力的な細部およびレリーフを有した面を含んでいる。
【０００６】
好ましい実施例において、その結果得られたブロックは自然石を模した模様をつけた前面を有すると共に、上面、下面、背面、対向する収束側面および、下面の下に延びるフランジを有している。この構成を有するブロックが、他の同様に構成された擁壁用ブロックと共に、複数の段に積み重ねられるとき、人工的に作られたものよりより自然発生的に構成されたように見える、曲がりくねった、または曲がった構成を可能とする。
【０００７】
本発明の一つの側面は本発明に応じて作られた型枠は、形成工程中、ブロックが置かれたとき前面となるブロックの一部が型枠キャビティの開放された上部に面するように、配置される。この方向付けが、高速のメーソンリーブロックまたは、舗装板のプラントにおいて、ブロックの前面が、模様をつけた圧力版（ストリッパーシュー（ｓｔｒｉｐｐｅｒ  ｓｈｏｅ））の作用により形作けられる。このストリッパーシューには非常に簡単なパターンや、適度に複雑なパターン，または、自然石を模した魅力的なレリーフを有した高精細な、３次元パターンを与えることが可能である。この方向付けで、ブロックの成型がなされるので、特別に選定した集合体および、または、前面への着色への応用を含む、面の外観に影響する他のプロセスにとって、ブロックの面に、容易にアクセス可能としている。
【０００８】
本発明の他の側面は、型枠の側壁が型枠の開放底近くにアンダーカット部を有していることである。このアンダーカット部はパレットと協働して、型枠のサブキャビティを形成するように、パレットが位置決めされる。好ましい実施例において、このサブキャビティはブロックが置かれた時にブロックの底になるブロック表面にロケータ／シェアフランジ（ｌｏｃａｔｏｒ／ｓｈｅａｒ  ｆｌａｎｇｅ）を形成する。
【０００９】
本発明の他の側面は型枠の側壁の少なくとも１つは垂直から角度を付けられ、ブロックが置かれたときの側面がブロックの背面に近づくにつれ、反対の側壁に向かって収束する部分を含む。この角度付けされた型枠の側壁は可動であり、そのため、型枠にドライ成型コンクリートが充填可能な第１の位置に移動され、凝縮され、この型枠の側壁から干渉なしに型枠から凝縮されたコンクリートが取り除かれることが可能な第２の位置に移動する。好ましい実施例においては、反対側の型枠の側壁が同様に可動であり、そのため、その結果生じるブロックの対向する側壁の少なくとも１部が、ブロックの背面に近づくに従い、互いに収束している。
【００１０】
本発明を特徴づける新規な、これらのそして、多様な他の利点および特徴は、個々に添付し、この１部を構成する特許請求の範囲において特に示されている。しかし、本発明およびその使用により獲得されるその利点と目的をよりよく理解するために、さらにこの一部を構成する図面、そして本発明の好ましい実施態様を記載した添付の発明の実施の形態を参照すべきである。
【発明を実施するための最良の形態】
【００１１】
概略
本発明はコンクリートメーソンリーブロックを製造する工程と、この工程によるブロック、並びに、型枠、及びこの工程に用いられる型枠のコンポーネントを提供する。その際、ブロックの前面に所定の３次元パターンが刻印される、さもなければ、所定のブロックの前面が標準のドライ成型コンクリートブロックまたは舗装板の機械において、製造されるよう、ブロックの前面が、直接処理されるか加工されることが可能である。前面の直接処理または、加工は前面の成型、整形、模様付け（ｐａｔｔｅｒｎｉｎｇ）、刻印、原料の層状化、これらの組み合わせ、および、表面構造（ｔｅｘｔｕｒｅ）、形、色、外見、または、物理的性質が直接影響を受け得る他の工程を含む。さらに、この工程は標準のドライ成型コンクリートブロックまたは、舗装板の設備において、高速で高容量のメーソンリーブロックの製造を可能とするため、複数キャビティの型枠を使用して、実行可能である。さらに、本発明の工程および設備を使用すると、分離ステーションおよび、または、ハンマミルステーション、および、または、タンブリングステーションおよび、付加的な設備やそのような付加的な処理ステーションに伴う付加的な設備および工程のコストが必要なくなる。
【００１２】
本発明の工程によって製造されたブロックは、同じか異なった所定の前面を有した複数のブロックを積み上げることによって、曲がりくねったまたは、曲がった擁壁を含む壁を、多段状に、自動的なセットバックおよび段間せん断力を有して、建造が可能な外形を有する。
【００１３】
好ましい実施例は所定の３次元の、岩のようなパターンを擁壁用ブロックの前面に押印することに関連して記載される。その結果、ブロックと段状（ｃｏｕｒｓｅ）に積み上げられる複数のブロックから構成される壁が、自然物で構成されたように見える。ここに記載されるこの工程は、ビルの壁の構成に用いられるメーソンリーブロックを構成するのにも使うことが可能であると同時にコンクリートレンガ、スラブ、あるいは舗装板にも用いることができる。
【００１４】
メーソンリーブロック
本発明によるメーソンリーブロック１０は図１から図３に示される。ブロック１０は前面１２、背面１４、上面１６、下面１８、及び、対向する側面２０，２２を有するブロック体を有する。ブロック１０は養生（硬化）され、ドライ成型で、非スランプのメーソンリーコンクリートから形成される。ドライ成型で、非スランプメーソンリーのコンクリートは擁壁用ブロックの分野で、よく知られている。
【００１５】
図１−図３に示されるように、前面１２は所定の３次元パターンを与えられる。この前面１２上のパターンはブロックの前面の鏡面イメージのパターンを有する可動のストリッパーシュー（後述）の作用によりブロック１０の成型時に前面に与えられるのが好ましい。図１２Ａ−Ｃは本発明のブロックの写真で、模様をつけられた前面を有している。
【００１６】
前面１２に与えられるこのパターンは前面の所望の外見に非常に依存して変化させることが可能である。好ましくは、このパターンは自然石を模したものであり、そのため前面１２は人造物よりは自然の素材のように、見える。使用される特定の石のパターンはブロックのユーザーを視覚的に満足させるものは何かということに基づき選択され得る。例えば、ブロックの前面には川石のような１つの石に見えるパターンを押印する。あるいは、多数の川石をモルタルで接合したように見えるように押印することができる。また、ブロックには層状に積み重ねた単一の切石の破片や多数の原野の石を模したパターンを押印することができる。多様な異なったパターンがストリッパーシューに用意すれば、ストリッパーシューを変えることで、この結果形成されるブロック上のパターンを変更できる。
【００１７】
その結果形成される、前面に作られた細部や起伏は従来の分離技術および、転がし、ハンマミルおよび、前記した他の傷つけ技術（ｄｉｓｔｒｅｓｓｉｎｇ  ｔｅｃｈｎｉｑｕｅｓ）によって、ブロックの前面に作られるものよりも卓越したものになる。この前面１２上の起伏は、最低点から最高点まで、少なくとも０．５インチが好ましく、少なくとも１インチであればさらに好ましい。
【００１８】
好ましい実施例において、分離面の擁壁用ブロックによく見られる共通の、３切子面の、曲がった面とは反対に、前面１２は、ほぼ、側面２０、２２間の単一の面に広がっている。ただし、そのような多切子面の曲がった面は本発明で容易に提供できる。第３図に見られるように、前面１２はわずかに、後方に斜めになっている、即ち、底面１８から上面１６に向けて、角度α傾いている。好ましくは、αは１０度位である。その結果、前面１２と後面１４は下面１８に近い方で距離ｄ１離れていて、上面１６に近い方が距離ｄ２離れている。ここで、ｄ１はｄ２より大きい。好ましくは、ｄ１は７．６２５インチで、ｄ２は６，８７５インチである。幅ｄ３は好ましくは約１２．０インチである。また、側面２０、２２間の前面１２は切子面を有し、曲げられることも可能で、またはこれらの組み合わせとすることもできる。これらの実施例において、前面はわずかに後方に傾けることもある。
【００１９】
典型的には、壁を形成するため、擁壁用ブロックがセットバックの段に積み上げられるとき、下段の各ブロックの上面の一部は下段の各ブロックの前面とそのすぐ上の段の各ブロックの前面との間に、見える。その上面の見える部分が出っ張った外観を作り出す。また、ドライ成型メーソンリーブロックの場合、この典型的な出っ張りが人工的な、外観を有している。ブロック１０の前面１２に対する後方への傾斜アングルを設けることにより、出っ張りの外観を減じるまたは、なくすことができ、そのため、出来上がった壁の自然な外観が強調される。
【００２０】
前面１２は側面との接続において、半径を有するエッヂ２４ａ，  ２４ｂも有している。この半径を有するエッヂ２４ａ，  ２４ｂは円弧状のフランジがストリッパーシュー上に設けられることによって、形成される。このエッヂ２４ａ，  ２４ｂの半径は好ましくは、約０．２５インチである。この半径を有するエッヂ２４ａ，  ２４ｂは、複数のブロックが並べられて置かれたとき、同じ段の近隣のブロックとブロック１０の側面とのコンタクトポイントをずらし、ブロック間のより良いコンタクトをもたらして、近隣ブロック間の土もれを防ぐ。もし所望であれば、前面１２と上面１６および、下面１８との接続においても、ストリッパーシューに正確なフランジを設けることによって、半径を有するように形成可能となる。
【００２１】
図１から図３を参照すると、ブロック１０の後面１４は一般に側面２０，２２間が概して、平面で、一般に、上面および下面１６、１８に垂直であるように描かれている。しかしながら、ブロック１０の後面１４は平面から、逸脱させることがある。例えば、１以上のノッチを設けたり、１以上の窪みを設けたりすることによってなされ、これも、本発明の範囲内である。この後面の幅ｄ４は好ましくは、８．２０２インチである。
【００２２】
さらに、上面１６は図１から図３に示されていて、概して、平面であり、上面１６と交わるコアから自由である。壁構造を形成するために複数のブロック１０が段に積まれるときに、各ブロックの上面１６は他のブロックの上面１６とは、概して、並行な関係になっている。
【００２３】
ブロック１０の下面１８は、ブロックが段に詰まれるときに、ブロック１０の上面間が概して、平行な関係であることを維持するため下の段のブロックの上面１６とのかみ合わせが適切になるように、形成される。好ましい実施例において、図１から図３に示されるように、下面１８は概して平面で水平であって、そのため、上面１６に概して平行である。しかしながら、１以上の凹み部を有するものや、下面１８の部分にわたり、１以上の溝を有する他の下面も使用可能である。上面１６と下面１８との間の距離ｄ６は好ましくは、４インチである。
【００２４】
好ましいブロック１０においては、図１から図３に見られるように、側面２０，２２は概して、垂直で、上面１６と下面１８をつなぎ、また、前面１２と後面１４をつなぐ。少なくとも、各側面２０、２２の１部は側面が後面１４に向かって延びるに伴い、対向する側面に向かって、収束している。好ましくは、各側面２０，２２の全長の収束が前面１８の近隣から始まり、前面と後面との間で、側面２０，２２が前面１２と後面１４との間で、概して平面である。しかしながら、側面２０，２２は収束を前面１２から間隔をあけた位置から開始することが可能で、その場合、側面２０、２２は直線で、前面から延びる非収束区間、直線区間から後面１４に続く収束区間の組み合わせを有するようになる。各側面２０、２２のこの収束部分は好ましくは、約１４．５度の角度βで収束する。
【００２５】
あるいは、ブロック１０はただ１つの収束側面または、収束側面部分を備え、他の側面は、前面と後面１２、１４に対し、実質垂直とすることが、可能である。少なくとも、１つの収束側面を有するブロックにより、曲がりくねった壁の建造が可能となる。
【００２６】
ブロック１０は、好ましくは、図１から図３に示されるように、ブロックの下面１８の下を延びている、フランジ２６を含む。このフランジ２６は下の段に対し所定のセットバックを与えこと、および、段間にせん断強さを与えるため、ブロック１０の下の段のブロックの後面に境を接するように設計されている。
【００２７】
図３Ａを参照すると、フランジ２６は前表面２８を有し、下の段のブロックの後面にかみ合っている。このフランジ２６はまた底表面３０と、前表面２８と底表面３０間に円弧状の前底エッジ３２と、ブロックの後面１４の延長であり１部である後表面３４含む。前表面２８は好ましくは約１８度の角度γを付けられる。この角度を付けられた前表面２８と円弧状のエッジ３２は型枠の対応する形状の部分により得られる。この構成はドライ成型メーソンリーコンクリートで満たすことと、型枠からフランジ２６の開放することを容易にする。
【００２８】
図１および図２に示されるように、フランジ２６は側面２０，２２間の全距離に渡り、延びている。しかしながら、フランジはこの全距離に渡って延びている必要はない。例えば、フランジは側面間の一部の距離のみ延びるようにすることもできる。また、側面から間隔を空けて配置することができる。あるいは、ギャップにより互いに離れた２以上のフランジ部分が使用可能である。
【００２９】
図３Ａを参照すると、フランジ２６の深さｄ７は好ましくは、０．７５０インチである。この深さは下の段に対するブロックの結果的において生じるセットバックを定義する。他のフランジ寸法が所望のセットバックの量によって使用可能である。後表面３４は好ましくは約０．３７５インチの高さｄ８を有する。
【００３０】
このような概念はまた、ビルの壁の構成に用いられるメーソンリーブロックに応用することだけでなく、コンクリートレンガ、平板や、舗装版に応用することができる。これらの場合、本発明の範囲内において、ブロックやレンガの両側面は収束しないように、また、フランジもなくすようにされる。しかしながら、パターンを有するようにされた前面はブロックやレンガに装飾的外見を与えるようにされる場合もあり得る。
【００３１】
ブロックの構成
本発明のメーソンリーブロック１０はかなり多くの景観設計構造に対して、使用可能である。本発明によるブロックによって構成される構造の例を図４に示す。図示されるように、ブロックの個別の段４２ａ−ｃのブロックからなる擁壁４０が構成される。壁４０の建造に使われるブロックは同一のパターンを有した前面を有するか、異なった、ただし、共用可能な前面を有するブロックとの混合とすることができる。壁４０の高さは段数による。擁壁４０の建造は当技術分野でよく知られており、壁４０の建造のための適切な工程については米国特許５，８２７，０１５に開示されている。
【００３２】
以上のように、ブロック１０上のフランジ２６が下の段からブロックのセットバックを与える。その結果、段４２ｂは段４２ａから、セットバックされる。そして、段４２ｃは段４２ｂからセットバックされる。さらに、上記のように、下の段の各ブロックの前面とすぐの上の段の各ブロックの前面との間に見える下の段の各ブロックの上面部分の量を減らすことによる前面１２の後方への傾斜は、各近隣の段間の出っ張りを減少する。
【００３３】
図４に示される擁壁４０は直線である。しかしながら、角度付けされた側面２０，２２によって構成される好適なブロック１０はくねったまたは、曲がった擁壁の建造が、米国特許５，８２７，０１５に開示されているように可能である。
【００３４】
ブロック形成工程
本発明の追加的な一面はブロック１０の形成の工程に関する。図５を参照すると、工程の概略が示されている。一般に、ブロック１０を形成するドライ成型メーソンリーコンクリートを混合することによって工程が開始される。ドライ成型の非スランプのメーソンリーコンクリートは擁壁用ブロックの分野でよく知られている。このコンクリートは所定の強度、給水性、密度、収縮度、及び、ブロックの関係する標準を満足するように選定される。当業者は所望のブロック条件を満足する材料成分を簡単に選定することができる。そのため、ブロックは意図した使用に対し、適切に機能する。さらに、ドライ成型メーソンリーコンクリートの成分の混合のための手順や装置は当分野でよく知られている。
【００３５】
一旦、コンクリートが、混合されると、ホッパーに送られ、これにより、型枠近くでコンクリートが保持される。以下に述べるように、型枠アッセンブリ５０は、好ましいブロックの形成に適した少なくとも１つのブロック形成キャビティ５６を有する。このキャビティ５６はその上面と底面が開放されている。ブロックを形成したいときには、キャビティ５６の底面が閉じられるように、パレットが型枠の下に位置付けされる。そして、ホッパーから適量のドライ成型コンクリートが一以上の供給ドロワーを経て、キャビティ５６の開放上面からブロック形成キャビティに充填される。ドライ成型メーソンリーコンクリートの運搬のための工程と装置およびブロック形成キャビティの充填は当分野で良く知られている。
【００３６】
キャビティ５６内のドライ成型メーソンリーコンクリートは次に、凝縮するために、圧縮される必要がある。これは、最初に、ドライ成型メーソンリーコンクリートの振動と共に、ドライ成型メーソンリーコンクリートの固まりに上からの圧力を加えることによってなされる。この振動は型枠の下のパレットの振動により（テーブル振動）、型枠ボックスの振動（型枠振動）により、または、両方の作用の組み合わせによって行われる。下記のように、この圧力は圧力ヘッドによって与えられ、圧力ヘッドはドライ成型メーソンリーコンクリートの固まりに上から接する１以上のストリッパーシューを移動させる。この振動と圧縮のタイミングと連続は可変であり、使われるドライ成型メーソンリーコンクリートの性質や所望の結果による。適切なシークエンスとタイミング及び、振動力の種類の選定と応用は当業者の知る範囲内である。一般に、これらの力はキャビティ５６をいっぱいに満たすのを可能としている。そのため、出来上がったブロック内に好ましくない空間ができず、また、ドライ成型メーソンリーコンクリートを凝縮することを可能としている。そのため、完成したブロックは所望の重さ、密度、及び、性能を有する。
【００３７】
圧力は、コンクリートを圧縮するためにキャビティ５６内のドライ成型メーソンリーコンクリートの上に接するように降ろされるストリーパーシュー９４によって、生じる。このストリーパーシュー９４は振動によって、キャビティ５６内のコンクリートを圧縮し、しっかりした、切れ目のない、前養生されたブロックを形成する。好ましい実施例は、ストリーパーシューはさらにその面に、３次元のパターン９６を有し、ストリーパーシューがコンクリートを圧縮するにつれ、前養生されたブロックに、対応するパターンを形成する。好ましくは、このパターンを有するシュー面に接する前養生されたブロックの一部はブロックの前面となる。
【００３８】
密度を高めた後は前養生されたブロックがキャビティから排出される。好ましくは、排出は型枠アッセンブリに対しパレット８２を下げることによって、起こる、さらにストリッパーシュー９４を型枠キャビティを通して、下げると、前養生されたブロックをキャビティから外すことができる。次に、ストリッパーシューは型枠キャビティから上に揚げられ、型枠はこの製造サイクルを繰り返すための準備ができる。
【００３９】
もし、ブロックが１以上の収束する側壁を有するべきならば、以下に詳細に述べるように対応する型枠側壁が型枠に設けられなければならない。そのような型枠側壁は型枠の充填、ドライ成型メーソンリーコンクリートの圧縮と凝縮を可能にする第１の位置に移動可能にされ、また、前養生されたブロックに損傷をあたえずに型枠を外すことを可能にする第２の位置に移動可能にされる。
【００４０】
前養生されたブロックが一旦キャビティから完全に外されると、続く養生のため型枠アッセンブリから運び出すことができる。このブロックは、当業者が知り得る方法でいずれも、養生可能である。本発明の実施に適した養生工程の例として、空気養生、オートクレーブ養生、及び、蒸気養生がある。これらのブロックを養生するための工程のいずれも、当業者によって、実施可能である。
【００４１】
養生されると、ブロックは保存のためや、続くジョブサイトへの出荷のために、パッケージされることが可能である、その後、例えば、図５の擁壁４０のような、構造を形成するのに、他の養生されたブロックと共に使われることができる。
【００４２】
型枠アッセンブリ
本発明の実施に使われる、本発明の型枠アッセンブリ５０は図６から図１０に示される。型枠アッセンブリ５０は、前養生されたブロックの形成中に加えられる圧力に耐えると共に、十分な摩滅寿命を与えることが可能な材料から作られる。
【００４３】
型枠アッセンブリ５０は前養生されたブロックが形成されるときに前面が上向きになるように、そして、その後面は、型枠アッセンブリ５０の下方に位置付けされるパレット８２上に、支持されように構成される。これがパターンの押し付けまたは、他の直接処理がブロックの前面１２上に生じることを可能とし、所定のブロックの前面の形成を可能とする。所定の前面は、所定のパターンと表面構造（ｔｅｘｔｕｒｅ）を有する前面と、所定の形を有する前面と、ブロックの残りの部分と異なった材料から作られる前面と、これらの組み合わせを含むことができる。
【００４４】
さらに、型枠アッセンブリ５０は、下リップそして、またはフランジそして、または、１以上の収束側面を有する前養生されたブロックが型枠アッセンブリの底から排出可能なように、設計される。
【００４５】
図６を参照すると、型枠アッセンブリ５０は、以下に述べるように、型枠５２と、型枠５２と相互に作用する圧縮ヘッドアッセンブリ５４と、を有する。この型枠５２は、これに区画される、少なくとも１つのブロック形成キャビティ５６を有する。１つの好ましい実施例において、型枠５２は標準使用に対して、「同時に３個用」の大きさにされている。アメリカのブロックマシンは、標準のパレットサイズとして、約１８．５インチ×２６．０インチのサイズを有しているが、これは、３個ブロックの上面がパレット上に接するようなサイズになっている。この型枠５２は複数の概して同じブロック形成キャビティ５６を有している。図７は、５個の並んだブロック形成キャビティ５６を示しているが、これは、標準の「同時に３個用のパレット」上に好ましいサイズのブロックを作るときに可能である。もちろん、より大きなパレットを使用した大きな機械も使用でき、そして、この技術は大きな機械と小さな機械に適用可能である。単一型枠における、型枠キャビティの可能な数は機械のサイズとパレットのサイズによる。複数のブロック形成キャビティ５６は単一の型枠５２からのブロックの生産を増加させることができる。
【００４６】
図７を参照すると、キャビティ５６は１組の外分割板と複数の内分割板と各キャビティに共通な１組のエンドライナ６０を有する分割板５８により形成される。型枠におけるキャビティの形成のために外分割板、内分割板、エンドライナを使用することは当業者に知られている。この分割板およびエンドライナはブロックキャビティの境界を形成し、ブロック形成中に前養生されたブロックと接する面を与えるが、磨耗の影響を受けやすい。したがって、分割板およびエンドライナは、典型的には、型枠５２内に取り外し可能に取り付けられている、そのため、それらが磨耗または損傷を受けた際には、交換可能となっている。ブロックキャビティを形成するためと分割板とエンドライナを外すために分割板とエンドライナを型枠中に取り付ける技術は当業者に知られている。
【００４７】
好ましい実施例において、分割板５８はブロック１０の上面１６および下面１８を形成し、一方エンドライナ６０は側面２０，２２を形成する。便宜的にこの分割板とエンドライナは、以下（クレームも含む）、集合的にキャビティの側壁と呼ぶ。したがって、側壁は分割板および、エンドライナを指し、同時に、ブロック形成キャビティの境界を定義するのに使用される他の似たような構成をも指す。
【００４８】
図８を参照すると、単一のブロック形成キャビティ５６の一部が示されている。この側壁５８，６０によって定義されるキャビティ５６は開放上部６４と開放底部６６を有する。図示されるように、側壁６０（例えば、エンドライナー）の上部端は型枠５２の適切な囲み構成に旋回支軸６２によって接続される。これによって、側壁６０が図８に示される、側壁６０が互いに収束する閉位置と側壁６０が概して垂直であり、互いに平行になる（図示せず）後退位置の間で廻旋する。この後退位置では、キャビティ５６の底が少なくとも、型枠キャビティの上部の幅と少なくとも同じになる。これによって、前養生されたブロックが、開放された底を通して、排出される。いずれかのブロックの側面２０，２２の一部が収束するときは、側壁６０の対応部分のみ廻旋される。ブロック１０の下面を形成する側壁５８も図８に示されていて、一方、ブロックの上面を構成する他の側面５８は図示されていない。
【００４９】
側壁６０の廻旋は好ましいブロック１０の形成のために必要である。以上のように、ブロック１０は、側壁６０によって形成される収束する側壁によって、型枠５２内において上向きで、形成される。したがって、収束する側壁６０は、図８のような角度付けがなされているとき、前養生されたブロックの収束側面２０，２２を作る。しかしながら、前養生されたブロックの前面部分はブロックの後ろ部分より幅が広い。前養生されたブロックが開放底部部６６を通して、排出可能とするためには側壁６０は開放底を通して、前養生されたブロックの下方への動きを可能にするため、外側に廻旋しなければならない。
【００５０】
付勢機構（Ｂｉａｓ  ｍｅｃｈａｎｉｓｍ）６８は側壁６０を、コンクリートを注入する間および、続く、ドライ成型メーソンリーコンクリートの圧縮の間、収束位置に維持するために設けられている。そして、これは、前養生のブロックの排出の間、側壁６０を垂直位置に廻旋することを可能としている。単一の付勢機構６８が各側壁６０に接続されているのが好ましく、全キャビティ５６に共通であり、そのため、各側壁６０の動きは共通の機構（図７参照）を経て、制御される。この付勢機構６８はエアーバッグを有するように、示されている。これは空気やこれと同様なガスを使用して、制御され得る。高圧空気源が設けられると共に、適切な空気の入り口と出口が設けられる。エアーバッグ以外の付勢機構の使用も可能である。例えば、水圧や空気圧シリンダが使える。
【００５１】
空気で加圧されたるエアーバッグは側壁６０を図８に示される位置に押しやる。前養生されたブロックを排出する時がきたとき、加圧された、空気はエアーバッグから換気され、これにより、側壁６０はパレットが下げられると、開放された底から前養生されたブロックが排出される。その際、前養生されたブロックの力のために外側に廻旋する。ブロックの排出の間、側壁６０は前養生のブロックの側面に接触しつづける。あるいは、コイルバネのような付勢機構が、エアーバッグが換気された時に後退位置に押し付ける、ように、側壁６０に接続され得る。この場合、ブロックの排出をはじめるため、パレット８２を下げ始めるときに、側壁６０は後退位置に押し付けられるので、側壁６０は排出中にブロックの側面に接しない。排出後、再度エアーバッグを加圧することにより、側壁６０は閉じ、角度がついた位置に戻される。
【００５２】
側壁６０を廻旋する以外で、前養生されたブロックの排出を可能とする側壁６０の動きを可能とする他の機構を使うことができる。例えば、側壁６０は内側に図８の位置にスライドし、キャビティ５６の底が少なくとも型枠キャビティの上部の幅になる位置外側にスライドするよう取り付けられることが可能だ。スライドする動きは側壁が取り付けられるトラックシステムを使用して、得られる。
【００５３】
図８に示されるように、各側壁６０がキャビティ５６に面する成型表面７６を有する。この成型表面７６は実質的に平面である。この結果、ブロック１０の実質平面の側面２０，２２が形成される。
【００５４】
図９を参照すると、ブロック１０の上面１６と下面１８を形成する側壁５８が示されている。側壁５８は、成型工程の間固定され、動かず、また、実質的に垂直である。
【００５５】
上面１６を形成するこの側壁５８は（図９左側壁５８）キャビティ５６に面する形成表面７８を含む。表面７８は実質平面で、これにより、実質平面の上面１６が形成される。
【００５６】
下面１８（図９の右側壁５８）を形成する側壁５８は開放底６６の近くで、底エッジにおける、アンダーカットまたはインステップ部８０を含む。このアンダーカット部８０は、成型工程の間、開放底６６を一時的に閉じるために型枠５２の下に導入されたパレット８２と組み合わさって、キャビティ５６のフランジ形成サブキャビティを区画する。このフランジ形成サブキャビティがブロック１０上のフランジ２６の形成に至る形を有している。
【００５７】
特に、アンダーカット部８０はフランジ２６の前表面２８を形成する整形表面８４と、フランジの底表面３０を形成する整形表面８６と、フランジ２６のエッジ３２を形成する整形表面８８を有する。後面１４の延長のフランジ２６の部分がパレット８２により、パレット８２上に、後面１４の残りの部分と共に、形成される。表面８４および８６の形状は、コンクリートの注入、とそれに続く、圧縮中にコンクリートをアンダーカット部８０に満たすことを容易にする。そのため、フランジ２６は完全に成形されると共に、ブロックの排出中に表面８４、８６からフランジ２６の開放を容易にする。
【００５８】
下面にフランジを有するが収束する側面がないブロックの場合、側面６０は収束せずに垂直になる。さらに、下面上にフランジがなく、収束する側面を有するブロックの場合、アンダーカット８０はない。また、下面上にフランジがなく、収束する側面がない場合、アンダーカット８０はなく、側壁６０は垂直方向に向けられる。
【００５９】
図６および図８に戻ると、ヘッドアッセンブリ５４は、板状の形をしていて、圧縮ヘッド９０を含むように見える。ヘッド９０は当業者に知られた態様で駆動機構によって駆動され、そのため，型枠キャビティ５６中で、垂直方向、上下に、可動で、ドライ成型メーソンリーコンクリートの圧縮のためと、前養生したブロックを型枠５２から取り外すことを容易にするために、可動となっている。
【００６０】
ヘッド９０の底に接続され、そこから、延びている複数のスタンドオフ９２がある。図６にあるように、１つのスタンドオフが各ブロック成型キャビティ５６に対して、設けられている。スタンドオフ９２は互いに一定の間隔におかれ、その長さ方向の軸はヘッド９０の面に垂直に向けられていて、概して、ブロック成型キャビティ５６を通して中央に延びている。
【００６１】
図６，図８、図９、および、図１０に示されるように、ストリッパーシュー９４は各スタンドオフ９２の端に接続されている。ストリーパー９４は長方形の形をしていて、コンクリートを圧縮するためにコンクリートに接するためと、前養生されたブロックの排出中にキャビティを通して、移動するために、開放上部を通じて、各キャビティ５６に入り込むような大きさにされている。このストリッパーシュー９４の寸法はキャビティ５６の開放上部６４よりほんのわずか小さい。そのため、シュー９４は、シュー９４とキャビティを区画する側壁５８，６０の間にほとんど隙間がないようにキャビティ５６にはまり込む。これは、圧縮時に、シュー９４の側面と側壁５８、６０との間からコンクリートが流出するのを最小限にし、シュー９４に接するブロックの前面の面積を最大にする。
【００６２】
図１０に最もよく示されるように、ストリッパーシュー９４の面の対向する端部にフランジ９８ａ，９８ｂが形成される。フランジ９８ａ，９８ｂはブロックの前面１２上に、まるめたエッジ２４ａ，２４ｂを形成されるように、円弧状になっている。もし所望であれば、上下の丸めエッジを前面１２に形成するため、円弧状のフランジをストリッパーシュー９４の残りの二つの端に設けることが可能である。
【００６３】
以上のように、シュー９４の面は、好ましくは所定のパターン９６を備え、その結果、シュー９４がコンクリートを圧縮するにつれ、そのパターンがブロックの前面に与えられる。そのパターン９６は、好ましくは、自然石を模し、その結果形成されたブロックが、自然石を装っている。これにより、ブロックの外観をより自然に、そして、岩のように、見せる。人が望む前面の外観に応じて、多様な異なったパターン９６が、シュー９４上に与えられる。このパターン９６に加え、あるいは、これとは別に、シュー９４の前面が切子面を有した前面または、曲がったブロック前面を得られるように、整形される。実際は、シュー９４の面はブロックの前面の所望の外観を得るために人が望んだどのような形にも形付けられ、また、整形されることが可能である。
【００６４】
図１０は、シュー９４上に設け得る所定のパターン９６の例を示している。パターン９６は自然石を模している。このパターン９６は、好ましくは、所定の３次元パターンに基づき、シュー面に機械加工される。シュー面に所定のパターン９６を作り出す典型的な工程はつぎの通りである。
【００６５】
先ず、人が視覚的に満足すると考えられる面を有する１つ以上の自然の岩を選ぶ。１つ以上の岩の表面がデジタルスキャナを用いて、スキャンされる。本発明を実施するに合って、適切なスキャン用の機械の例は、ＲＰＳ１５０ヘッドを有するレーザーデザインサーベイヤー１２００（Ｌａｓｅｒ ＤｅｓｉｇｎＳｕｒｖｅｙｏｒ）で、ミネソタのミネアポリスのレーザーデザイン社（Ｌａｓｅｒ  Ｄｅｓｉｇｎ  Ｉｎｃｏｒｐｏｒａｔｅｄ）から入手可能である。レーザーデザインサーベイヤー１２００は直線精度がＸＹＺ座標で０．０００５インチであり、解像力は０．０００１インチである。岩の表面のスキャンデータは、多様な岩の表面のつなぎ目のないデータのブレンドを作り出し、各表面をスキャンしたスキャンデータを一緒にブレンドするために、岩の表面のスキャンデータは集められ、処理される。スキャンデータを集め、処理するソフトウェアはこの分野で既知である。例えば、デ−タスカルプト（ＤａｔａＳｃｕｌｐｔ）があり、ミネソタのミネアポリスのレーザーデザイン社から入手可能である。
【００６６】
ブレンドされたデータはスケールを調整され、そして、または、ブロックの前面の寸法に調整される。スケールを調整されたデータのブレンドは、個々にスキャンされた岩の表面からブレンドされた１つの岩の表面を表している。このスケールが調整された、ブレンドデータは３または４軸の数値制御フライス盤に、ストリッパーシュー９４のフライス削りのために出力される。本発明の実施に適切なフライス盤は、ミクロンＶＣＰ６００（Ｍｉｋｒｏｎ  ＶＣＰ６００）で、ミクロンＡＧ（Ｍｉｋｒｏｎ  ＡＧ）ニダウのニダウ（Ｎｉｄａｕ  ｏｆ  Ｎｉｄａｕ）、スイスから入手可能である。このフライス盤はスケールを調整されたデータのブレンドによって表された岩の表面のミラーイメージをストリッパーシュー９４の面に切削する。そして、このストリッパーシューは、既知のやり方で、フライス盤に適切に取り付けられる。この結果、所定のパターンがシュー９４の面に切削され、これが、シュー９４がコンクリートを圧縮する際に、ブロックの前面に所定のパターンを刻印することになる。
【００６７】
この工程は同じかまたは異なった面のパターンを有する追加のシューを製作するために、繰り返すことができる。これは、パターンを有する各シューが磨耗を受け、このパターンが過度に摩滅した時に、シューの交換が必要になるため、有利である。さらに、多様な異なった所定のシューパターンを形成することによって、多様で異なったブロックの前面の外観が得られる。他のシューパターンは、複数の異なった岩の走査された表面を組み合わせることによって形成される。
【００６８】
以上のように、ブロック前面に得られた細部や浮き上がりは上記した従来の分離技術や上記した他の前面を傷つける（ｄｉｓｔｒｅｓｓｉｎｇ）技術によるものよりも明らかに優れている。所望であれば、シュー面に切削される浮き彫りの高さを増加または減少させるために走査データを処理することが可能である。これが、最終的にブロックの前面に施される浮き彫りを変えることになる。
【００６９】
ドライ成型メーソンリーコンクリートが、ストリッパーシュー９４のパターンを有する表面のような、成型表面に付着する傾向があることは、この分野で知られている。ドライ成型コンクリートからのストリッパーシュー９４の開放を向上する多様な技術が知られている。そして、それらの、１つ以上が本発明の実施に用いられるかも知れない。例えば、ストリッパーシューに形成されるパターンは開放を禁止するよりも、むしろ向上するように設計されねばならない。この点、適切な抜けこう配がパターンに使用されなければならない。上記のパターン形成技術は適切な抜けこう配を作り出すため、走査された画像の処理を可能としている。離型剤、例えば、油の細かい霧を、マシンサイクルの間にストリッパーシュー上に噴霧することが可能である。ヘッドの振動は、剥離の向上に使われ得る。そして、剥離を向上させるため、ストリッパーシューに熱を加えることが可能である。ドライ成型メーソンリーコンクリートの付着を防ぐ加熱モールド素子はこの分野で、既知である。本発明においては、ブロックの前面に与えられる、詳細なパターンのために、これは、付着を防ぐためより重要である。特に、温度の制御については、選定されたレベルに保たれるようにシューの温度を制御可能であることが重要である。
【００７０】
好ましくは図１１に図示されるように、ヒータ１００がシューを加熱するため、シュー９４に接続される。このヒータ１００は温度制御装置１０２によって、制御される。シュー９４上にサーモカップル１０４が取り付けられ、これがシューの温度を感知すると共にそして、この情報が、制御装置１０２とヒータ１００に電力を供給する、パワーコントロール装置１０６に中継される。このシステムは、サーモカップル１０４によって、感知されながら、シュー９４の温度が所定のレベル以下に、下がると、ヒータ１００に電力が与えられ、シューの温度を上げる。サーモカップルによって、感知されながら、シューの温度が所定レベルに達したとき、ヒータ１００は切られる。これにより、シュー温度は選定されたレベルに維持可能となる。好ましくは、制御装置１０２が、使われるドライ成型メーソンリーコンクリートに基づき、最小と最高の温度の選定を可能なように設計される。好ましい実施例では、ストリッパーシュー９４の表面温度は華氏１２０度と華氏１３０度の間に維持される。
【００７１】
上記の明細書、例、および、データは、本発明の構成の製造と使用の完全なる記載を与える。本発明の多くの実施例は本発明の精神と範囲から逸脱することなしになされることが可能なので、本発明は以下に添付のクレームに帰するものとする。
【図面の簡単な説明】
【００７２】
【図１】図１は本発明の擁壁用ブロックの斜視図であり、ブロックは型枠で成型されている姿勢に方向づけられている。
【図２】図２は図１の擁壁用ブロックの底の平面図である。
【図３】図３は図１の擁壁用ブロックの側立面図である。
【図３Ａ】図３Ａは図３の点線の円内の擁壁用ブロック一部の詳細図である。
【図４】図４は本発明の複数ブロックにより構成される擁壁の１部の正面図である。
【図５】図５は本発明の工程を示すフローチャートである。
【図６】図６は本発明の工程を利用した、本発明の複数の擁壁用ブロックを形成するための複数の型枠キャビティを有する型枠アッセンブリの斜視図である。
【図７】図７は図６の型枠アッセンブリの上平面図である。
【図８】図８は型枠アッセンブリの端面図であって、対向し、収束し、旋廻する側壁を有する１つの型枠キャビティを示している。
【図９】図９は模式図で、ブロックの上面および下面を形成する側壁、ストリッパーシュー、および、型枠アッセンブリのパレットを示す。
【図１０】図１０はストリッパーシューの表面のパターンを示した斜視図である。
【図１１】図１１はストリッパーシューの温度制御を模式的に表した図である。
【図１２Ａ】図１２Ａは本発明の擁壁用ブロックの写真である。
【図１２Ｂ】図１２Ｂは本発明の擁壁用ブロックの写真である。
【図１２Ｃ】図１２Ｃは本発明の擁壁用ブロックの写真である。
【図１】
2005515090.tif 000003
【図２】
2005515090.tif 000004
【図３】
2005515090.tif 000005
【図３Ａ】
2005515090.tif 000006
【図４】
2005515090.tif 000007
【図５】
2005515090.tif 000008
【図６】
2005515090.tif 000009
【図７】
2005515090.tif 000010
【図８】
2005515090.tif 000011
【図９】
2005515090.tif 000012
【図１０】
2005515090.tif 000013
【図１１】
2005515090.tif 000014
【図１２Ａ】
2005515090.tif 000015
【図１２Ｂ】
2005515090.tif 000016
【図１２Ｃ】
2005515090.tif 000017
【手続補正書】
【提出日】平成16年2月27日(2004.2.27)
【手続補正１】
【補正対象書類名】特許請求の範囲
【補正対象項目名】全文
【補正方法】変更
【補正の内容】
【特許請求の範囲】
【請求項１】
上面（１６）と、下面（１８）と、前面（１２）と、後面（１４）と、対向する側面（２０，２２）と、ブロックの下面の下に延びる一体のフランジ（２６）と、を有するコンクリートブロック（１０）を製造するプロセスであって、上記方法は、
開放上部（６４）と開放底（６６）を有する型枠キャビティ（５６）を区画する複数の側壁（５８，６０）を有した型枠（５２）を供し、第１の側壁（５８）が型枠キャビティのこの開放底の近隣のアンダーカット部（８０）を有している、ステップと、
型枠キャビティ（５６）の全開放底（６６）を一時的に閉じるために、型枠（５２）の下にパレット（８２）の平らな面を位置付けし、これにより、パレット（８２）は第１の側壁（５８）のアンダーカット部（８０）と協働して、型枠キャビティのフランジ成型サブキャビティを区画するステップであって、前記パレット（８２）の平らな表面が前記型枠キャビティの開放底を一時的に閉じている間、前記型枠キャビティの前記開放底に突起部は延びていない、ステップと、
開放型枠上部（６４）を通して、型枠キャビティ（５６）にドライ成型コンクリートを注入するステップと、
ブロックの後面がパレット（８２）上に置かれていて、ブロックの前面が上向きである、前養生したコンクリートブロックを形成するために、ドライ成型コンクリートを圧縮する、ステップと、
型枠キャビティ（５６）の一時的に閉じられていた底を再開放するステップと、
型枠キャビティの再開放された底を通し型枠キャビティ（５６）から前養生したコンクリートブロックを排出するステップと、
前養生したコンクリートブロックを養生するステップと、を有するプロセス。
【請求項２】
請求項１のプロセスであって、さらに、前記型枠キャビティにドライ成型コンクリートを注入する前記ステップにつづいて、３次元パターン（９６）を有する面を有するストリッパーシュー（９４）を前記型枠キャビティ（５６）に前記型枠キャビティの前記開放上部（６４）を通して導入するステップと、前記型枠キャビティに収容された前記ドライ成型コンクリート上に前記ストリッパーシュー（９４）の前記パターンを有する面をプレスし、前記前養生されたコンクリートブロックの前記前面にパターンを形成する、ステップとを有するプロセス。
【請求項３】
前記ストリッパーシュー（９４）の前記面の前記パターン（９６）は自然石を模したことを特徴とする請求項２記載のプロセス。
【請求項４】
前記圧縮ステップが型枠キャビティ内のコンクリートを振動させることを含むことを特徴とする請求項３記載のプロセス。
【請求項５】
前記第１の側壁（５８）に概して、垂直の、前記型枠（５２）の第２の側壁（６０）は第１の収束側壁部が、コンクリートを注入する前記ステップの直前に垂直に対して角度をもって、方向付けられ、そのため、コンクリートを注入する前記ステップと圧縮ステップの間、型枠キャビティはその上部で幅がその底より広く、そして、前記型枠の前記第１の収束側壁部が可動に取り付けられ、そして、前記前養生されたコンクリートブロックが前記型枠キャビティの前記再開放された底を通じて、排出されるのを可能にするため、前記型枠キャビティの前記底が前記型枠キャビティの前記上部と少なくとも同じ幅になる位置に前記第１の収束壁部を移動するステップを含む、請求項１記載のプロセス。
【請求項６】
前記第２の側壁（６０）に対向する前記型枠の前記側壁（６０）が、前記第１の収束側壁部に対向する第２の収束側壁部を含み、前記第２の収束側壁部が、前記コンクリートを注入する前記ステップの直前に垂直に対してある角度をもって、方向付けられ、そのため、前記コンクリートを注入する前記ステップと前記圧縮ステップの間、前記型枠キャビティはその上部で幅がその底より広く、そして、前記第２の収束側壁部が可動に取り付けられ、そして、前記前養生されたコンクリートブロックが前記型枠キャビティの前記再開放された底を通じて、排出されるのを可能にするため、前記型枠キャビティの前記底が前記型枠キャビティの前記上部と少なくとも同じ幅になる位置に前記第２の収束壁部を移動するステップを含む、請求項５記載のプロセス。
【請求項７】
前記型枠の前記側壁（６０）の前記第１と第２の収束部は付勢力によってコンクリートの注入前の斜め配向位置にそれぞれ付勢され、そして、前記付勢力を解放することによって、前記前養生されたコンクリートブロックが前記型枠から排出されることを特徴とする請求項６記載のプロセス。
【請求項８】
前記付勢力は、エアーバック（６８）によって、与えられることを特徴とする請求項７記載のプロセス。
【請求項９】
前記型枠キャビティ（５６）の前記一時的に閉じた底は再開放され、前記前養生されたコンクリートブロックは、前記型枠（５２）に対し前記パレット（８２）を下げることによって、前記型枠キャビティの前記開放底（６６）を通して、排出されることを特徴とする請求項１記載のプロセス。
【請求項１０】
前記型枠（５２）は複数の前記型枠キャビティ（５６）を含み、単一のパレット（８２）と共に作動して、複数のブロックを同時に成形することを特徴とする請求項１記載のプロセス。
【請求項１１】
上面（１６）と、下面（１８）と、パターンを有する前面（１２）と、後面（１４）と、対向する側面（２０，２２）とを有するコンクリートブロック（１０）を製造するプロセスであって、第１の前記側面が、前記側面が前記後面に向かって延びるにつれ、前記第２の側面に向かって収束する第１の収束部を有する、コンクリートブロックを製造するプロセスであって、上記方法は、
開放上部（６４）と開放底（６６）を有する型枠キャビティ（５６）を区画する複数の側壁（５８，６０）を有する型枠（５２）を供するステップであって、前記型枠の１つの側壁（６０）が、垂直に対して角度をもって、方向付けられる第１の収束壁部を有し、そのため、前記型枠キャビティはその上部で幅をその底より広くし、前記第１の収束側壁部が前記１つの側壁（６０）に近接する２つの対向する側壁（５８）間の型枠キャビティの全距離に渡り延びている、ステップと、
前記型枠キャビティの開放底（６６）を一時的に閉じるために、前記型枠（５２）の下にパレット（８２）を位置付けするステップと、
前記開放型枠上部（６４）を通して、前記型枠キャビティ（５６）にドライ成型コンクリートを注入するステップと、
前記ブロックの後面が前記パレット（８２）上に置かれ、前記ブロックの前記前面が上向きの状態で、前養生されたコンクリートブロックを形成するため、前記ドライ成型コンクリートを圧縮するステップであって、前記圧縮ステップは、前記前養生されたコンクリートブロックの前面にパターンを与えるため、３次元パターン（９６）を有する面を有するストリッパーシュー（９４）を前記型枠キャビティ（５６）の前記開放上部（６４）を通して、型枠キャビティに導入することと、前記ストリッパーシュー（９４）の前記パターンを有する面を型枠キャビティに収容されるドライ成型キャビティに収容されるドライ成型コンクリート上に押し付けることと、を含んだステップ、と、
前記型枠キャビティ（５６）の一時的に閉じられた底を再開放するステップと、
前記前養生されたコンクリートブロックが前記型枠キャビティの前記再開放された底を通じて、排出されるのを可能にするため、前記型枠の前記第１の収束側壁部を前記型枠キャビティ（５６）の前記底が型枠キャビティの前記上部と少なくとも同じ幅になる位置に前記第１の位置に移動するステップと、
型枠キャビティの再開放された底を通し型枠キャビティから前記前養生したコンクリートブロックを排出するステップと、
前記前養生したコンクリートブロックを養生するステップと、を有するプロセス。
【請求項１２】
前記圧縮ステップは前記型枠に収容される前記コンクリートを振動することを含むことを特徴とする請求項１１記載のプロセス。
【請求項１３】
前記１つの側壁（６０）に対向する前記型枠の前記側壁（６０）が、前記第１の収束側壁部に対向する第２の収束側壁部を含み、また、前記１つの側壁の近隣の２つの対向する側壁（５８）間の前記型枠キャビティに渡る全距離延びていて、前記第２の収束側壁部が、前記コンクリートを注入する前記ステップの直前に垂直に対してある角度をもって、方向付けられ、そのため、前記コンクリートを注入する前記ステップと前記圧縮ステップの間、前記型枠キャビティはその上部で幅がそれの底より広く、そして、前記第２の収束側壁部が可動に取り付けられ、そして、前記前養生されたコンクリートブロックが前記型枠キャビティの前記再開放された底を通じて、排出されるのを可能にするため、前記型枠キャビティの前記底が前記型枠キャビティの前記上部と少なくとも同じ幅になる位置に前記第２の収束壁部を移動するステップを含む、請求項１１記載のプロセス。
【請求項１４】
前記型枠の前記側壁（６０）の前記第１と第２の収束部は付勢力によってコンクリートの注入前の斜め配行位置にそれぞれ，付勢され、そして、前記付勢力を解放することにより、前記前養生されたコンクリートブロックが前記型枠から排出されることを特徴とする請求項１３記載のプロセス。
【請求項１５】
前記付勢力は、エアーバック（６８）によって、与えられることを特徴とする請求項１４記載のプロセス。
【請求項１６】
前記型枠キャビティ（５６）の前記一時的に閉じた底は再開放され、前記前養生されたコンクリートブロックは、前記型枠（５２）に対し前記パレット（８２）を下げることによって、前記型枠キャビティの前記開放底（６６）を通して、排出されることを特徴とする請求項１１記載のプロセス。
【請求項１７】
前記型枠（５２）は複数の前記型枠キャビティ（５６）を含み、これが単一のパレット（８２）と共に作動して、複数のブロックを同時に成形することを特徴とする請求項１１記載のプロセス。
【請求項１８】
前記型枠の側壁（５８）が型枠キャビティの開放底（６６）の近くのアンダーカット部（８０）を含み、前記パレット（８２）が側壁のアンダーカット部と協働して、前記型枠キャビティのフランジ形成サブキャビティを区画することを特徴とする請求項１１記載のプロセス。
【請求項１９】
前記パレット（８２）が前記型枠キャビティの開放底の全体を閉じる平らな表面を含むことを特徴とする請求項１１のプロセス。
【請求項２０】
上面（１６）と、下面（１８）と、前面（１２）と、後面（１４）と、対向する側面（２０、２２）と、ブロックの下面の下に延びる一体のフランジ（２６）とを有する前養生されたドライ成型コンクリートブロックを形成する型枠アッセンブリ（５０）であって、前記型枠アッセンブリは、
開放型枠上部（６４）と開放型枠底（６６）を有する型枠キャビティ（５６）を区画する複数の側壁（５８，６０）を有し、前記型枠キャビティ（５６）の前記全開放底を閉じるパレット（８２）の平らな面と共に前記型枠キャビティのフランジ形成サブキャビティを区画する前記開放型枠底に近いアンダーカット（８０）を第１の前記側壁（５８）が含み、パレット（８２）の前記平らな面が、前記型枠キャビティの開放底を閉じる間、前記型枠キャビティの開放底に突起部が延びていない、前記型枠アッセンブリ。
【請求項２１】
前記前養生されたコンクリートブロックの前記前面にパターンを与えるため、前記型枠キャビティに収容されるドライ成型コンクリート上に前記ストリッパーシュー（９４）の前記パターンを有する面をプレスするため、前記型枠キャビティに前記型枠キャビティの前記開放上部（６４）を通して導入される、３次元パターン（９６）を有する面を有するストリッパーシュー（９４）を有する請求項２０記載の型枠アッセンブリ。
【請求項２２】
前記ストリッパーシュー（９４）の前記面の前記パターン（９６）は自然石を模したことを特徴とする請求項２１記載の型枠アッセンブリ。
【請求項２３】
前記ストリッパーシュー（９４）はパターンを有する面の周囲を囲むフランジ（９８ａ，９８ｂ）を含み、前記フランジはコンクリートブロックの前面上の丸めエッジ（２４ａ，２４ｂ）を形成するように、弓状であることを特徴とする請求項２２記載の型枠アッセンブリ。
【請求項２４】
前記アンダーカット（８０）を有する前記側壁（５８）の残りは実質平面で、実質垂直に延びていることを特徴とする請求項２０記載の型枠アッセンブリ。
【請求項２５】
前記型枠の第２の側壁（６０）は概して、前記第１の側壁（５８）に垂直であって、第１の収束側壁部を有し、これが、可動に取り付けられ、そのため、ドライ成型コンクリートが前記型枠キャビティに注入されるとき、前記型枠キャビティの上部がその底より広くなるよう、垂直に対し角度を有する第１の位置と、前養生されたコンクリートブロックを前記型枠キャビティの前記底から排出されるのを可能とするため、前記型枠キャビティの前記底と上部とが少なくとも同じ幅になる第２の位置との間で可動であり、前記第１の収束壁部が前記第２の側壁（６０）の近くの２つの対向する側壁（５８）間の型枠キャビティの全距離に渡り、延びていることを特徴とする請求項２０記載の型枠アッセンブリ。
【請求項２６】
前記第２の側壁（６０）に対向する前記型枠の前記側壁（６０）は前記第１の収束側壁部に対向する第２の収束壁部を有し、前記第１の収束壁部が前記第２の側壁の近くの２つの対向する側壁（５８）間の型枠キャビティの全距離に渡り、延びていて、前記第２の収束側壁部が可動に取り付けられ、そのため、ドライ成型コンクリートが前記型枠キャビティに注入されるとき、前記型枠キャビティの上部がその底より広くなるよう、垂直に対し角度を有する第１の位置と、前養生されたコンクリートブロックを前記型枠キャビティの前記底から排出されるのを可能とするため、前記型枠キャビティの前記底と上部とが少なくとも同じ幅になる第２の位置との間で可動であることを特徴とする請求項２５記載の型枠アッセンブリ。
【請求項２７】
前記収束側壁部が開放型枠上部に近接したその端部近くで、廻旋することを特徴とする請求項２６記載の型枠アッセンブリ。
【請求項２８】
前記収束側壁部の各々を前記第１の位置に付勢する機構（６８）をさらに含む請求項２６記載の型枠アッセンブリ。
【請求項２９】
前記収束側壁部の各々を付勢する前記機構（６８）は前記収束側壁部の各々に接続されるエアーバックを有する請求項２８記載の型枠アッセンブリ。
【請求項３０】
前記収束側壁部の各々が実質平面（７６）で、前記型枠キャビティに面することを特徴とする請求項２６記載の型枠アッセンブリ。
【請求項３１】
複数の前記型枠キャビティ（５６）を有し、これらが、複数のブロックを同時に成形するため、単１のパレット（８２）と共に作動することを特徴とする請求項２０記載の型枠アッセンブリ。
【請求項３２】
上面（１６）と、下面（１８）と、前面（１２）と、後面（１４）と、対向する側面（２０，２２）と、ブロックの下面の下に延びる一体のフランジ（２６）とを有する、前養生されたドライ成型ブロックを形成する型枠アッセンブリ（５０）であって、前記型枠アッセンブリは、
開放型枠上部（６４）と開放型枠底（６６）を有する型枠キャビティ（５６）を区画する複数の側壁（５８，６０）であって、前記型枠の第１の前記側壁（６０）が、第１の収束壁部を有し、可動に取り付けられ、そのため、ドライ成型コンクリートが前記型枠キャビティに注入されるとき、前記型枠キャビティ（５６）の上部がその底より広くなるよう、垂直に対し角度を有する第１の位置と、前記前養生されたコンクリートブロックを前記型枠キャビティの前記底を通して、排出されるのを可能とするため、前記型枠キャビティの底が型枠キャビティの上部と幅が少なくとも同じになる第２の位置との間で可動となっている、前記複数の側壁であって、前記第１の収束壁部が前記第２の側壁（６０）の近くの２つの対向する側壁（５８）間の型枠キャビティの全距離に渡り延びている、前記複数の側壁と、
前記型枠キャビティに前記型枠キャビティの前記開放上部を通して導入し、前記型枠キャビティに収容されるドライ成型コンクリート上に前記ストリッパーシュー（９４）の前記パターンを有する面をプレスし、前記前養生されたコンクリートブロックの前記前面にパターンを与えるための３次元パターン（９６）を有する面を有するストリッパーシュー（９４）と、を有する型枠アッセンブリ。
【請求項３３】
前記ストリッパーシュー（９４）の前記面の前記パターン（９６）は自然石を模したことを特徴とする請求項３２記載の型枠アッセンブリ。
【請求項３４】
前記ストリッパーシュー（９４）はパターンを有する面の図形の周囲を囲むフランジ（９８ａ，９８ｂ）を含み、前記フランジはコンクリートブロックの前面上の丸めエッジ（２４ａ，２４ｂ）を形成するように、弓状であることを特徴とする請求項３３記載の型枠アッセンブリ。
【請求項３５】
前記１つの側壁（６０）に対向する前記型枠の前記側壁（６０）は前記第１の収束側壁部に対向する第２の収束壁部を有し、前記第１の収束壁部が前記第２の側壁（６０）の近くの２つの対向する側壁（５８）間の型枠キャビティの全距離に渡り、延びていて、前記第２の収束側壁部が可動に取り付けられ、そのため、ドライ成型コンクリートが前記型枠キャビティに注入されるとき、前記型枠キャビティの上部がその底より広くなるよう、垂直に対し角度を有する第１の位置と、前養生されたコンクリートブロックを前記型枠キャビティの前記底から排出されるのを可能とするため、前記型枠キャビティの前記底と上部とが少なくとも同じ幅になる第２の位置との間で可動であることを特徴とする請求項３２記載の型枠アッセンブリ。
【請求項３６】
前記収束側壁部が開放型枠上部（６４）に近接したその端部近くで、廻旋することを特徴とする請求項３５記載の型枠アッセンブリ。
【請求項３７】
前記収束側壁部の各々を前記第１の位置に付勢する機構（６８）をさらに含む請求項３５記載の型枠アッセンブリ。
【請求項３８】
前記収束側壁部の各々を付勢する機構（６８）は前記収束側壁部の各々に接続されるエアーバックを有する請求項３７記載の型枠アッセンブリ。
【請求項３９】
前記収束側壁部の各々が実質平面（７６）で、前記型枠キャビティに面することを特徴とする請求項３５記載の型枠アッセンブリ。
【請求項４０】
複数の前記型枠キャビティ（５６）を有し、これが、複数のブロックを同時に成形するため、単１のパレット（８２）と共に動作することを特徴とする請求項３２記載の型枠アッセンブリ。
【手続補正２】
【補正対象書類名】明細書
【補正対象項目名】全文
【補正方法】変更
【補正の内容】
【発明の詳細な説明】
【技術分野】
【０００１】
本願は２００２年１２月２７日付け、アンカーウォールシステムズ、インクの名義で、ＰＣＴ国際特許出願として、米国を除くすべての国を指定して出願するものである。
本発明は、概して、コンクリートメーソンリーブロックおよびその製造に関する。より詳しくは、本発明は、例えば、擁壁等の造園設計応用の使用に適するコンクリートメーソンリーブロックに関し、また、そのようなブロックの製造に有用な製造工程に関する。
【背景技術】
【０００２】
近年、高速化され、自動化されたコンクリートブロックプラント、およびコンクリート舗装板プラントは、上部及び底部が開放される型枠を利用している。この型枠はその底面を閉じるように型枠の下に周期的にパッレットを配置する機械に取り付けられる。この型枠の開放された上部を通して、型枠中にドライ成型コンクリートが供給され、振動及び、圧力の組み合わせにより、コンクリートが凝縮され、また、パレットと型枠との垂直方向の相対的な動きによって、型枠が外される。
【０００３】
このようなプラントやこの工程を果たすために用いられる装置の性質から、コンクリートブロックの面に自然な外観を与えることは、困難である。特に、そのブロックが他の特徴を有する必要があるとき、例えば、側面が収束する場合や、一体化したロケータシェアフランジが、ブロックの上部および、または、下部に成型される場合は、困難である。米国特許５，８２７，０１５は、擁壁用ブロックとして使用されるのに適したコンクリートメーソンリーブロックおよび、高速で自動化されたコンクリートブロックプラントにおいて、そのようなユニットを製造する共通な方法を開示している。
【０００４】
ＤＥ１００  ０２  ３９０はコンクリートブロックと型枠を開示し、それによれば、型枠はシート５０上に形成され、上方に延びて、型枠キャビティの中に入る隆起部５２を含み，これにより、ブロックの上表面に窪み４４を形成する。このブロックは突起部４３も有して形成され、これが、ブロックが段に積まれたとき、下のブロックの窪み４４と協働する。シート５０上に隆起部５２があるため、シート５０からブロックを外すことがより困難となる。さらに、隆起部５２は壊されるか、そして、また、損傷を受けることがあり、また、シート５０が使われなくなったとき、隆起部５２によって、保存のためシートが積み重ねられることが妨げられる。
【０００５】
予め成型されたコンクリートメーソンリーユニットに対する要求があり、特に、側面が収束する擁壁用ブロックおよび、また一体化したロケータシェアフランジが、上面および、また、底面に成型されるものや、米国特許５，８２７，０１５に開示された分離工程によって、得られるものや、米国特許６，３２１，７４０に開示された分離工程のものより、より自然な外観を有するものへの要求がある。特に、そのような面を有するそのようなブロックをコンクリートブロックまたはコンクリート舗装板に共通な型の設備上で、高速で自動的に、作ることが可能な工程および道具に対する要求がある。
【発明の開示】
【０００６】
本発明はコンクリートメーソンリーユニットおよび、特に擁壁用ブロックを高速で大量生産可能な型枠および工程に関する。これらの型枠および工程はそのようなブロック上に、米国特許５，８２７，０１５に開示されている分割表面と同様な、比較的簡単な装飾表面を作る場合に用いることができる。これらの型枠および工程は、従来の転がし（ｔｕｍｂｌｉｎｇ）またはハンマミル（ｈｕｍｍｅｒｍｉｌｌ）工程によりものや、米国特許６，３２１，７４０に開示されている工程により、分割され、傷つけられた面（ｄｉｓｔｒｅｓｓｅｄ  ｆａｃｅｓ）と同様な、より複雑な前面をそのようなブロック上に作る場合に用いることができる。これらの型枠および工程はこれまで得られなかったユニークなブロックも作ることが出来る。即ち、収束する側壁を有するおよび、または、一体化したロケータやシェアフランジを有し、前面が著しくより複雑な面を有する前面を有する擁壁用ブロックであって、この複雑な面はドライ成型コンクリートブロック技術にこれまで得られなかった魅力的な細部およびレリーフを有した面を含んでいる。
【０００７】
好ましい実施例において、その結果得られたブロックは自然石を模した模様をつけた前面を有すると共に、上面、下面、背面、対向する収束側面および、下面の下に延びるフランジを有している。この構成を有するブロックが、他の同様に構成された擁壁用ブロックと共に、複数の段に積み重ねられるとき、人工的に作られたものよりより自然発生的に構成されたように見える、曲がりくねった、または曲がった構成を可能とする。
【０００８】
本発明の一つの側面は本発明に応じて作られた型枠は、形成工程中、ブロックが置かれたとき前面となるブロックの一部が型枠キャビティの開放された上部に面するように、配置される。この方向付けが、高速のメーソンリーブロックまたは、舗装板のプラントにおいて、ブロックの前面が、模様をつけた圧力版（ストリッパーシュー（ｓｔｒｉｐｐｅｒ  ｓｈｏｅ））の作用により形作けられる。このストリッパーシューには非常に簡単なパターンや、適度に複雑なパターン，または、自然石を模した魅力的なレリーフを有した高精細な、３次元パターンを与えることが可能である。この方向付けで、ブロックの成型がなされるので、特別に選定した集合体および、または、前面への着色への応用を含む、面の外観に影響する他のプロセスにとって、ブロックの面に、容易にアクセス可能としている。
【０００９】
本発明の他の側面は、型枠キャビティの側壁が型枠の開放底近くにアンダーカット部を有していることである。このアンダーカット部は型枠の下に位置決めされるパレットと協働して、型枠のサブキャビティを形成する。好ましい実施例において、このサブキャビティはブロックが置かれた時にブロックの底になるブロック表面にロケータ／シェアフランジ（ｌｏｃａｔｏｒ／ｓｈｅａｒ  ｆｌａｎｇｅ）を形成する。
【００１０】
本発明の他の側面は型枠の側壁の少なくとも１つは垂直から角度を付けられ、ブロックが置かれたときの側面がブロックの背面に近づくにつれ、反対の側壁に向かって収束する部分を含む。この角度付けされた型枠の側壁は可動であり、そのため、型枠にドライ成型コンクリートが充填可能な第１の位置に移動され、凝縮され、この型枠の側壁から干渉なしに型枠から凝縮されたコンクリートが取り除かれることが可能な第２の位置に移動する。好ましい実施例においては、反対側の型枠の側壁が同様に可動であり、そのため、その結果生じるブロックの対向する側壁の少なくとも１部が、ブロックの背面に近づくに従い、互いに収束している。
【００１１】
本発明を特徴づける新規な、これらのそして、多様な他の利点および特徴は、個々に添付し、この１部を構成する特許請求の範囲において特に示されている。しかし、本発明およびその使用により獲得されるその利点と目的をよりよく理解するために、さらにこの一部を構成する図面、そして本発明の好ましい実施態様を記載した添付の発明の実施の形態を参照すべきである。
【発明を実施するための最良の形態】
【００１２】
概略
本発明はコンクリートメーソンリーブロックを製造する工程と、この工程によるブロック、並びに、型枠、及びこの工程に用いられる型枠のコンポーネントを提供する。その際、ブロックの前面に所定の３次元パターンが刻印される、さもなければ、所定のブロックの前面が標準のドライ成型コンクリートブロックまたは舗装板の機械において、製造されるよう、ブロックの前面が、直接処理されるか加工されることが可能である。前面の直接処理または、加工は前面の成型、整形、模様付け（ｐａｔｔｅｒｎｉｎｇ）、刻印、原料の層状化、これらの組み合わせ、および、表面構造（ｔｅｘｔｕｒｅ）、形、色、外見、または、物理的性質が直接影響を受け得る他の工程を含む。さらに、この工程は標準のドライ成型コンクリートブロックまたは、舗装板の設備において、高速で高容量のメーソンリーブロックの製造を可能とするため、複数キャビティの型枠を使用して、実行可能である。さらに、本発明の工程および設備を使用すると、分離ステーションおよび、または、ハンマミルステーション、および、または、タンブリングステーションおよび、付加的な設備やそのような付加的な処理ステーションに伴う付加的な設備および工程のコストが必要なくなる。
【００１３】
本発明の工程によって製造されたブロックは、同じか異なった所定の前面を有した複数のブロックを積み上げることによって、曲がりくねったまたは、曲がった擁壁を含む壁を、多段状に、自動的なセットバックおよび段間せん断力を有して、建造が可能な外形を有する。
【００１４】
好ましい実施例は所定の３次元の、岩のようなパターンを擁壁用ブロックの前面に押印することに関連して記載される。その結果、ブロックと段状（ｃｏｕｒｓｅ）に積み上げられる複数のブロックから構成される壁が、自然物で構成されたように見える。ここに記載されるこの工程は、ビルの壁の構成に用いられるメーソンリーブロックを構成するのにも使うことが可能であると同時にコンクリートレンガ、スラブ、あるいは舗装板にも用いることができる。
【００１５】
メーソンリーブロック
本発明によるメーソンリーブロック１０は図１から図３に示される。ブロック１０は前面１２、背面１４、上面１６、下面１８、及び、対向する側面２０，２２を有するブロック体を有する。ブロック１０は養生（硬化）され、ドライ成型で、非スランプのメーソンリーコンクリートから形成される。ドライ成型で、非スランプメーソンリーのコンクリートは擁壁用ブロックの分野で、よく知られている。
【００１６】
図１−図３に示されるように、前面１２は所定の３次元パターンを与えられる。この前面１２上のパターンはブロックの前面の鏡面イメージのパターンを有する可動のストリッパーシュー（後述）の作用によりブロック１０の成型時に前面に与えられるのが好ましい。図１２Ａ−Ｃは本発明のブロックの写真で、模様をつけられた前面を有している。
【００１７】
前面１２に与えられるこのパターンは前面の所望の外見に非常に依存して変化させることが可能である。好ましくは、このパターンは自然石を模したものであり、そのため前面１２は人造物よりは自然の素材のように、見える。使用される特定の石のパターンはブロックのユーザーを視覚的に満足させるものは何かということに基づき選択され得る。例えば、ブロックの前面には川石のような１つの石に見えるパターンを押印する。あるいは、多数の川石をモルタルで接合したように見えるように押印することができる。また、ブロックは層状に積み重ねた単一の切石の破片や多数の原野の石を模したパターンを押印することができる。多様な異なったパターンがストリッパーシューに用意すれば、ストリッパーシューを変えることで、この結果形成されるブロック上のパターンを変更できる。
【００１８】
その結果形成される、前面に作られた細部や起伏は従来の分離技術および、転がし、ハンマミルおよび、前記した他の傷つけ技術（ｄｉｓｔｒｅｓｓｉｎｇ  ｔｅｃｈｎｉｑｕｅｓ）によって、ブロックの前面に作られるものよりも卓越したものになる。この前面１２上の起伏は、最低点から最高点まで、少なくとも０．５インチ（１．２７  ｃｍ）が好ましく、少なくとも１インチ（２，５４  ｃｍ）であれば、さらに好ましい。
【００１９】
好ましい実施例において、分離面の擁壁用ブロックによく見られる共通の、３切子面の、曲がった面とは反対に、前面１２は、ほぼ、側面２０、２２間の単一の面に広がっている。ただし、そのような多切子面の曲がった面は本発明で容易に提供できる。第３図に見られるように、前面１２はわずかに、後方に斜めになっている、即ち、底面１８から上面１６に向けて、角度α傾いている。好ましくは、αは１０度位である。その結果、前面１２と後面１４は下面１８に近い方で距離ｄ1離れていて、上面１６に近い方が距離ｄ2離れている。ここで、ｄ１はｄ２より大きい。好ましくは、ｄ1は７．６２５インチ（１９．３６７５  ｃｍ）で、ｄ2は６，８７５インチ（１７．４６２５  ｃｍ）である。幅ｄ3は好ましくは約１２．０インチ（３０．４８  ｃｍ）である。また、側面２０、２２間の前面１２は切子面を有し、曲げられることも可能で、またはこれらの組み合わせとすることもできる。これらの実施例において、前面はわずかに後方に傾けることもある。
【００２０】
典型的には、壁を形成するため、擁壁用ブロックがセットバックの段に積み上げられるとき、下段の各ブロックの上面の一部は下段の各ブロックの前面とそのすぐ上の段の各ブロックの前面との間に、見える。その上面の見える部分が出っ張った外観を作り出す。また、ドライ成型メーソンリーブロックの場合、この典型的な出っ張りが人工的な、外観を有している。ブロック１０の前面１２に対する後方への傾斜アングルを設けることにより、出っ張りの外観を減じるまたは、なくすことができ、そのため、出来上がった壁の自然な外観が強調される。
【００２１】
前面１２は側面との接続において、半径を有するエッヂ２４ａ，２４ｂも有している。この半径を有するエッヂ２４ａ，２４ｂは円弧状のフランジがストリッパーシュー上に設けられることによって、形成される。このエッヂ２４ａ，２４ｂの半径は好ましくは、約０．２５インチ（０．６３５  ｃｍ）である。この半径を有するエッヂ２４ａ，２４ｂは、複数のブロックが並べられて置かれたとき、同じ段の近隣のブロックとブロック１０の側面とのコンタクトポイントをずらし、ブロック間のより良いコンタクトをもたらして、近隣ブロック間の土もれを防ぐ。もし所望であれば、前面１２と上面１６および、下面１８との接続においても、ストリッパーシューに正確なフランジを設けることによって、半径を有するように形成可能となる。
【００２２】
図１から図３を参照すると、ブロック１０の後面１４は一般に側面２０，２２間が概して、平面で、一般に、上面および下面１６、１８に垂直であるように描かれている。しかしながら、ブロック１０の後面１４は平面から、逸脱させることがある。例えば、１以上のノッチを設けたり、１以上の窪みを設けたりすることによってなされ、これも、本発明の範囲内である。この後面の幅ｄ4は好ましくは、８．２０２インチ（２０．８３３  ｃｍ）である。
【００２３】
さらに、上面１６は図１から図３に示されていて、概して、平面であり、上面１６と交わるコアから自由である。壁構造を形成するために複数のブロック１０が段に積まれるときに、各ブロックの上面１６は他のブロックの上面１６とは、概して、並行な関係になっている。
【００２４】
ブロック１０の下面１８は、ブロックが段に詰まれるときに、ブロック１０の上面間が概して、平行な関係であることを維持するため下の段のブロックの上面１６とのかみ合わせが適切になるように、形成される。好ましい実施例において、図１から図３に示されるように、下面１８は概して平面で水平であって、そのため、上面１６に概して平行である。しかしながら、１以上の凹み部を有するものや、下面１８の部分にわたり、１以上の溝を有する他の下面も使用可能である。上面１６と下面１８との間の距離ｄ6は好ましくは、４インチ（１０．１６  ｃｍ）である。
【００２５】
好ましいブロック１０においては、図１から図３に見られるように、側面２０，２２は概して、垂直で、上面１６と下面１８をつなぎ、また、前面１２と後面１４をつなぐ。少なくとも、各側面２０、２２の１部は側面が後面１４に向かって伸びるに伴い、対向する側面に向かって、収束している。好ましくは、各側面２０，２２の全長の収束が前面１８の近隣から始まり、前面と後面との間で、側面２０，２２が前面１２と後面１４との間で、概して平面である。しかしながら、側面２０，２２は収束を前面１２から間隔をあけた位置から開始することが可能で、その場合、側面２０、２２は直線で、前面から延びる非収束区間、直線区間から後面１４に続く収束区間の組み合わせを有するようになる。各側面２０、２２のこの収束部分は好ましくは、約１４．５度の角度βで、収束する。
【００２６】
あるいは、ブロック１０はただ１つの収束側面または、収束側面部分を備え、他の側面は、前面と後面１２、１４に対し、実質垂直とすることが、可能である。少なくとも、１つの収束側面を有するブロックにより、曲がりくねった壁の建造が可能となる。
【００２７】
ブロック１０は、好ましくは、図１から図３に示されるように、ブロックの下面１８の下を延びている、フランジ２６を含む。このフランジ２６は下の段に対し所定のセットバックを与えこと、および、段間にせん断強さを与えるため、ブロック１０の下の段のブロックの後面に境を接するように設計されている。
【００２８】
図３Ａを参照すると、フランジ２６は前表面２８を有し、下の段のブロックの後面にかみ合っている。このフランジ２６はまた底表面３０と、前表面２８と底表面３０間に円弧状の前底エッジ３２と、ブロックの後面１４の延長であり１部である後表面３４含む。前表面２８は好ましくは約１８度の角度γを付けられる。この角度を付けられた前表面２８と円弧状のエッジ３２は型枠の対応する形状の部分により得られる。この構成はドライ成型メーソンリーコンクリートで満たすことと、型枠からフランジ２６の開放することを容易にする。
【００２９】
図１および図２に示されるように、フランジ２６は側面２０，２２間の全距離に渡り、延びている。しかしながら、フランジはこの全距離に渡って延びている必要はない。例えば、フランジは側面間の一部の距離のみ延びるようにすることもできる。また、側面から間隔を空けて配置することができる。あるいは、ギャップにより互いに離れた２以上のフランジ部分が使用可能である。
【００３０】
図３Ａを参照すると、フランジ２６の深さｄ7は好ましくは、０．７５０インチ（１９．０  ｃｍ）である。この深さは下の段に対するブロックの結果的において生じるセットバックを定義する。他のフランジ寸法が所望のセットバックの量によって使用可能である。後表面３４は好ましくは約０．３７５インチ（０．９５２  ｃｍ）の高さｄ8を有する。
【００３１】
このような概念はまた、ビルの壁の構成に用いられるメーソンリーブロックに応用することだけでなく、コンクリートレンガ、平板や、舗装版に応用することができる。これらの場合、本発明の範囲内において、ブロックやレンガの両側面は収束しないように、また、フランジもなくすようにされる。しかしながら、パターンを有するようにされた前面はブロックやレンガに装飾的外見を与えるようにされる場合もあり得る。
【００３２】
ブロックの構成
本発明のメーソンリーブロック１０はかなり多くの景観設計構造に対して、使用可能である。本発明によるブロックによって構成される構造の例を図４に示す。図示されるように、ブロックの個別の段４２ａ−ｃのブロックからなる擁壁４０が構成される。壁４０の建造に使われるブロックは同一のパターンを有した前面を有するか、異なった、ただし、共用可能な前面を有するブロックとの混合とすることができる。壁４０の高さは段数による。擁壁の建造は当技術分野でよく知られており、壁４０の建造のための適切な工程については米国特許５，８２７，０１５に開示されている。
【００３３】
以上のように、ブロック１０上のフランジ２６が下の段からブロックのセットバックを与える。その結果、段４２ｂは段４２ａから、セットバックされる。そして、段４２ｃは段４２ｂからセットバックされる。さらに、上記のように、下の段の各ブロックの前面とすぐの上の段の各ブロックの前面との間に見える下の段の各ブロックの上面部分の量を減らすことによる前面１２の後方への傾斜は、各近隣の段間の出っ張りを減少する。
【００３４】
図４に示される擁壁４０は直線である。しかしながら、角度付けされた側面２０，２２によって構成される好適なブロック１０はくねったまたは、曲がった擁壁の建造が、米国特許５，８２７，０１５に開示されているように可能である。
【００３５】
ブロック形成工程
本発明の追加的な一面はブロック１０の形成の工程に関する。図５を参照すると、工程の概略が示されている。一般に、ブロック１０を形成するドライ成型メーソンリーコンクリートを混合することによって工程が開始される。ドライ成型の非スランプのメーソンリーコンクリートは擁壁用ブロックの分野でよく知られている。このコンクリートは所定の強度、給水性、密度、収縮度、及び、ブロックの関係する標準を満足するように選定される。当業者は所望のブロック条件を満足する材料成分を簡単に選定することができる。そのため、ブロックは意図した使用に対し、適切に機能する。さらに、ドライ成型メーソンリーコンクリートの成分の混合のための手順や装置は当分野でよく知られている。
【００３６】
一旦、コンクリートが、混合されると、ホッパーに送られ、これにより、型枠近くでコンクリートが保持される。以下に述べるように、型枠アッセンブリ５０は、好ましいブロックの形成に適した少なくとも１つのブロック形成キャビティ５６を有する。このキャビティ５６はその上面と底面が開放されている。ブロックを形成したいときには、キャビティ５６の底面が閉じられるように、パレットが型枠の下に位置付けされる。そして、ホッパーから適量のドライ成型コンクリートが一以上の供給ドロワーを経て、キャビティ５６の開放上面からブロック形成キャビティに充填される。ドライ成型マーソンリーコンクリートの運搬のための工程と装置およびブロック形成キャビティの充填は当分野で良く知られている。
【００３７】
キャビティ５６内のドライ成型メーソンリーコンクリートは次に、凝縮するために、圧縮される必要がある。これは、最初に、ドライ成型メーソンリーコンクリートの振動と共に、ドライ成型メーソンリーコンクリートの固まりに上からの圧力を加えることによってなされる。この振動は型枠の下のパレットの振動により（テーブル振動）、型枠ボックスの振動（型枠振動）により、または、両方の作用の組み合わせによって行われる。下記のように、この圧力は圧力ヘッドによって与えられ、圧力ヘッドはドライ成型メーソンリーコンクリートの固まりに上から接する１以上のストリッパーシューを移動させる。この振動と圧縮のタイミングと連続は可変であり、使われるドライ成型メーソンリーコンクリートの性質や所望の結果による。適切なシークエンスとタイミング及び、振動力の種類の選定と応用は当業者の知る範囲内である。一般に、これらの力はキャビティ５６をいっぱいに満たすのを可能としている。そのため、出来上がったブロック内に好ましくない空間ができず、また、ドライ成型メーソンリーコンクリートを凝縮することを可能としている。そのため、完成したブロックは所望の重さ、密度、及び、性能を有する。
【００３８】
圧力は、コンクリートを圧縮するためにキャビティ５６内のドライ成型メーソンリーコンクリートの上に接するように降ろされるストリーパーシュー９４によって、形成される。このストリーパーシュー９４は振動によって、キャビティ５６内のコンクリートを圧縮し、しっかりした、切れ目のない、前養生されたブロックを形成する。好ましい実施例は、ストリーパーシューはさらにその面に、３次元のパターン９６を有し、ストリーパーシューがコンクリートを圧縮するにつれ、前養生されたブロックに、対応するパターンが形成される。好ましくは、このパターンを有するシュー面に接する前養生されたブロックの一部はブロックの前面となる。
【００３９】
密度を高めた後は前養生されたブロックがキャビティから排出される。好ましくは、排出は型枠アッセンブリに対しパレット８２を下げることによって、起こる、さらにストリッパーシュー９４を型枠キャビティを通して、下げると、前養生されたブロックをキャビティから外すことができる。次に、ストリッパーシューは型枠キャビティから上に揚げられ、型枠はこの製造サイクルを繰り返すための準備ができる。
【００４０】
もし、ブロックが１以上の収束する側壁を有するべきならば、以下に詳細に述べるように対応する型枠側壁が型枠に設けられなければならない。そのような型枠側壁は型枠の充填、ドライ成型メーソンリーコンクリートの圧縮と凝縮を可能にする第１の位置に移動可能にされ、また、前養生されたブロックに損傷をあたえずに型枠を外すことを可能にする第２の位置に移動可能にされる。
【００４１】
前養生されたブロックが一旦キャビティから完全に外されると、続く養生のため型枠アッセンブリから運び出すことができる。このブロックは、当業者が知り得る方法でいずれも、養生可能である。本発明の実施に適した養生工程の例として、空気養生、オートクレーブ養生、及び、蒸気養生がある。これらのブロックを養生するための工程のいずれも、当業者によって、実施可能である。
【００４２】
養生されると、ブロックは保存のためや、続くジョブサイトへの出荷のために、パッケージされることが可能である、その後、例えば、図５の擁壁４０のような、構造を形成するのに、他の養生されたブロックと共に使われることができる。
【００４３】
型枠アッセンブリ
本発明の実施に使われる、本発明の型枠アッセンブリ５０は図６から図１０に示される。型枠アッセンブリ５０は、前養生されたブロックの形成中に加えられる圧力に耐えると共に、十分な摩滅寿命を与えることが可能な材料から作られる。
【００４４】
型枠アッセンブリ５０は前養生されたブロックが形成されるときに前面が上向きになるように、そして、その後面は、型枠アッセンブリ５０の下方に位置付けされるパレット８２上に、支持されように構成される。これがパターンの押し付けまたは、他の直接処理がブロックの前面１２上に生じることを可能とし、所定のブロックの前面の形成を可能とする。所定の前面は、所定のパターンと表面構造（ｔｅｘｔｕｒｅ）を有する前面と、所定の形を有する前面と、ブロックの残りの部分と異なった材料から作られる前面と、これらの組み合わせを含むことができる。
【００４５】
さらに、型枠アッセンブリ５０は、下リップそして、またはフランジそして、または、１以上の収束側面を有する前養生されたブロックが型枠アッセンブリの底から排出可能なように、設計される。
【００４６】
図６を参照すると、型枠アッセンブリ５０は、以下に述べるように、型枠５２と、型枠５２と相互に作用する圧縮ヘッドアッセンブリ５４と、を有する。この型枠５２は、これに区画される、少なくとも１つのブロック形成キャビティ５６を有する。１つの好ましい実施例において、型枠５２は標準使用に対して、「同時に３個用」の大きさにされている。アメリカのブロックマシンは、標準のパレットサイズとして、約１８．５インチ（４７．０  ｃｍ）×２６．０インチ（６６．０  ｃｍ）のサイズを有しているが、これは、３個ブロックの上面がパレット上に接するようなサイズになっている。この型枠５２は複数の概して同じブロック形成キャビティ５６を有している。図７は、５個の並んだブロック形成キャビティ５６を示しているが、これは、標準の「同時に３個用のパレット」上に好ましいサイズのブロックを作るときに可能である。もちろん、より大きなパレットを使用した大きな機械も使用でき、そして、この技術は大きな機械と小さな機械に適用可能である。単一型枠における、型枠キャビティの可能な数は機械のサイズとパレットのサイズによる。複数のブロック形成キャビティ５６は単一の型枠５２からのブロックの生産を増加させることができる。
【００４７】
図７を参照すると、キャビティ５６は１組の外分割板と複数の内分割板と各キャビティに共通な１組のエンドライナ６０を有する分割板５８により形成される。型枠におけるキャビティの形成のために外分割板、内分割板、エンドライナを使用することは当業者に知られている。この分割板およびエンドライナはブロックキャビティの境界を形成し、ブロック形成中に前養生されたブロックと接する面を与えるが、磨耗の影響を受けやすい。したがって、分割板およびエンドライナは、典型的には、型枠５２内に取り外し可能に取り付けられている、そのため、それらが磨耗または損傷を受けた際には、交換可能となっている。ブロックキャビティを形成するためと分割板とエンドライナを外すために分割板とエンドライナを型枠中に取り付ける技術は当業者に知られている。
【００４８】
好ましい実施例において、分割板５８はブロック１０の上面１６および下面１８を形成し、一方エンドライナ６０は側面２０，２２を形成する。便宜的にこの分割板とエンドライナは、以下（クレームも含む）、集合的にキャビティの側壁と呼ぶ。したがって、側壁は分割板および、エンドライナを指し、同時に、ブロック形成キャビティの境界を定義するのに使用される他の似たような構成をも指す。
【００４９】
図８を参照すると、単一のブロック形成キャビティ５６の一部が示されている。この側壁５８，６０によって定義されるキャビティ５６は開放上部６４と開放底部６６を有する。図示されるように、側壁６０（例えば、エンドライナー）の上部端は型枠５２の適切な囲み構成に旋回支軸６２によって接続される。これによって、側壁６０が図８に示される、側壁６０が互いに収束する閉位置と側壁６０が概して垂直であり、互いに平行になる（図示せず）後退位置の間で廻旋する。この後退位置では、キャビティ５６の底が少なくとも、型枠キャビティの上部の幅と少なくとも同じになる。これによって、前養生されたブロックが、開放された底を通して、排出される。いずれかのブロックの側面２０，２２の一部が収束するときは、側壁６０の対応部分のみ廻旋される。ブロック１０の下面を形成する側壁５８も図８に示されていて、一方、ブロックの上面を構成する他の側面５８は図示されていない。
【００５０】
側壁６０の廻旋は好ましいブロック１０の形成のために必要である。以上のように、ブロック１０は、側壁６０によって形成される収束する側壁によって、型枠５２内において上向きで、形成される。したがって、収束する側壁６０は、図８のような角度付けがなされているとき、前養生されたブロックの収束側面２０，２２を作る。しかしながら、前養生されたブロックの前面部分はブロックの後ろ部分より幅が広い。前養生されたブロックが開放底部部６６を通して、排出可能とするためには側壁６０は開放底を通して、前養生されたブロックの下方への動きを可能にするため、外側に廻旋しなければならない。
【００５１】
付勢機構（Ｂｉａｓ  ｍｅｃｈａｎｉｓｍ）６８は側壁６０を、コンクリートを注入する間および、続く、ドライ成型メーソンリーコンクリートの圧縮の間、収束位置に維持するために設けられている。そして、これは、前養生のブロックの排出の間、側壁６０を垂直位置に廻旋することを可能としている。単一の付勢機構６８が各側壁６０に接続されているのが好ましく、全キャビティ５６に共通であり、そのため、各側壁６０の動きは共通の機構（図７参照）を経て、制御される。この付勢機構６８はエアーバッグを有するように、示されている。これは空気やこれと同様なガスを使用して、制御され得る。高圧空気源が設けられると共に、適切な空気の入り口と出口が設けられる。エアーバッグ以外の付勢機構の使用も可能である。例えば、水圧や空気圧シリンダが使える。
【００５２】
空気で加圧されたるエアーバッグは側壁６０を図８に示される位置に押しやる。前養生されたブロックを排出する時がきたとき、加圧された、空気はエアーバッグから換気され、これにより、側壁６０はパレットが下げられると、開放された底から前養生されたブロックが排出される。その際、前養生されたブロックの力のために外側に廻旋する。ブロックの排出の間、側壁６０は前養生のブロックの側面に接触しつづける。あるいは、コイルバネのような付勢機構が、エアーバッグが換気された時に後退位置に押し付ける、ように、側壁６０に接続され得る。この場合、ブロックの排出をはじめるため、パレット８２を下げ始めるときに、側壁６０は後退位置に押し付けられるので、側壁６０は排出中にブロックの側面に接しない。排出後、再度エアーバッグを加圧することにより、側壁６０は閉じ、角度がついた位置に戻される。
【００５３】
側壁６０を廻旋する以外で、前養生されたブロックの排出を可能とする側壁６０の動きを可能とする他の機構を使うことができる。例えば、側壁６０は内側に図８の位置にスライドし、キャビティ５６の底が少なくとも型枠キャビティの上部の幅になる位置外側にスライドするよう取り付けられることが可能だ。スライドする動きは側壁が取り付けられるトラックシステムを使用して、得られる。
【００５４】
図８に示されるように、各側壁６０がキャビティ５６に面する成型表面７６を有する。この成型表面７６は実質的に平面である。この結果、ブロック１０の実質平面の側面２０，２２が形成される。
【００５５】
図９を参照すると、ブロック１０の上面１６と下面１８を形成する側壁５８が示されている。側壁５８は、成型工程の間固定され、動かず、また、実質的に垂直である。
【００５６】
上面１６を形成するこの側壁５８は（図９左側壁５８）キャビティ５６に面する形成表面７８を含む。表面７８は実質平面で、これにより、実質平面の上面１６が形成される。
【００５７】
下面１８（図９の右側壁５８）を形成する側壁５８は開放底６６の近くで、底エッジにおける、アンダーカットまたはインステップ部８０を含む。このアンダーカット部８０は、成型工程の間、開放底６６を一時的に閉じるために型枠５２の下に導入されたパレット８２と組み合わさって、キャビティ５６のフランジ形成サブキャビティを区画する。このフランジ形成サブキャビティがブロック１０上のフランジ２６の形成に至る形を有している。
【００５８】
特に、アンダーカット部８０はフランジ２６の前表面２８を形成する整形表面８４と、フランジの底表面３０を形成する整形表面８６と、フランジ２６のエッジ３２を形成する整形表面８８を有する。後面１４の延長のフランジ２６の部分がパレット８２により、パレット８２上に、後面１４の残りの部分と共に、形成される。表面８４および８６の形状は、コンクリートの注入とそれに続く、圧縮中にコンクリートをアンダーカット部８０に満たすことを容易にする。そのため、フランジ２６は完全に成形されると共に、ブロックの排出中に表面８４、８６からフランジ２６の開放を容易にする。
【００５９】
下面にフランジを有するが収束する側面がないブロックの場合、側面６０は収束せずに垂直になる。さらに、下面上にフランジがなく、収束する側面を有するブロックの場合、アンダーカット８０はない。また、下面上にフランジがなく、収束する側面がない場合、アンダーカット８０はなく、側壁６０は垂直方向に向けられる。
【００６０】
図６および図８に戻ると、ヘッドアッセンブリ５４は、板状の形をしていて、圧縮ヘッド９０を含むように見える。ヘッド９０は当業者に知られた態様で駆動機構によって駆動され、そのため，型枠キャビティ５６中で、垂直方向、上下に、可動で、ドライ成型メーソンリーコンクリートの圧縮のためと、前養生したブロックを型枠５２から取り外すことを容易にするために、可動となっている。
【００６１】
ヘッド９０の底に接続され、そこから、延びている複数のスタンドオフ９２がある。図６にあるように、１つのスタンドオフが各ブロック成型キャビティ５６に対して、設けられている。スタンドオフ９２は互いに一定の間隔におかれ、その長さ方向の軸はヘッド９０の面に垂直に向けられていて、概して、ブロック成型キャビティ５６を通して中央に延びている。
【００６２】
図６，図８、図９、および、図１０に示されるように、ストリッパーシュー９４は各スタンドオフ９２の端に接続されている。ストリーパー９４は長方形の形をしていて、コンクリートを圧縮するためにコンクリートに接するためと、前養生されたブロックの排出中にキャビティを通して、移動するために、開放上部を通じて、各キャビティ５６に入り込むような大きさにされている。このストリッパーシュー９４の寸法はキャビティ５６の開放上部６４よりほんのわずか小さい。そのため、シュー９４は、シュー９４とキャビティを区画する側壁５８，６０の間にほとんど隙間がないようにキャビティ５６にはまり込む。これは、圧縮時に、シュー９４の側面と側壁５８、６０との間からコンクリートが流出するのを最小限にし、シュー９４に接するブロックの前面の面積を最大にする。
【００６３】
図１０に最もよく示されるように、ストリッパーシュー９４の面の対向する端部にフランジ９８ａ，９８ｂが形成される。フランジ９８ａ，９８ｂはブロックの前面１２上に、まるめたエッジ２４ａ，２４ｂを形成するように、円弧状になっている。もし所望であれば、上下の丸めエッジを前面１２に形成するため、円弧状のフランジをストリッパーシュー９４の残りの二つの端に設けることが可能である。
【００６４】
以上のように、シュー９４の面は、好ましくは所定のパターン９６を備え、その結果、シュー９４がコンクリートを圧縮するにつれ、そのパターンがブロックの前面に与えられる。そのパターン９６は、好ましくは、自然石を模し、その結果形成されたブロックが、自然石を装っている。これにより、ブロックの外観をより自然に、そして、岩のように、見せる。人が望む前面の外観に応じて、多様な異なったパターン９６が、シュー９４上に与えられる。このパターン９６に加え、あるいは、これとは別に、シュー９４の前面が切子面を有した前面または、曲がったブロック前面を得られるように、整形される。実際は、シュー９４の面はブロックの前面の所望の外観を得るために人が望んだどのような形にも形付けられ、また、整形されることが可能である。
【００６５】
図１０は、シュー９４上に設け得る所定のパターン９６の例を示している。パターン９６は自然石を模している。このパターン９６は、好ましくは、所定の３次元パターンに基づき、シュー面に機械加工される。シュー面に所定のパターン９６を作り出す典型的な工程はつぎの通りである。
【００６６】
先ず、人が視覚的に満足すると考えられる面を有する１つ以上の自然の岩を選ぶ。１つ以上の岩の表面がデジタルスキャナを用いて、スキャンされる。本発明を実施するに合って、適切なスキャン用の機械の例は、ＲＰＳ１５０ヘッドを有するレーザーデザインサーベイヤー１２００（Ｌａｓｅｒ  Ｄｅｓｉｇｎ  Ｓｕｒｖｅｙｏｒ）で、ミネソタのミネアポリスのレーザーデザイン社（Ｌａｓｅｒ  Ｄｅｓｉｇｎ  Ｉｎｃｏｒｐｏｒａｔｅｄ）から入手可能である。レーザーデザインサーベイヤー１２００は直線精度がＸＹＺ座標で０．０００５インチであり、解像力は０．０００１インチである。岩の表面のスキャンデータは、多様な岩の表面のつなぎ目のないデータのブレンドを作り出し、各表面をスキャンしたスキャンデータを一緒にブレンドするために、岩の表面のスキャンデータは集められ、処理される。スキャンデータを集め、処理するソフトウェアはこの分野で既知である。例えば、デ−タスカルプト（ＤａｔａＳｃｕｌｐｔ）があり、ミネソタのミネアポリスのレーザーデザイン社から入手可能である。
【００６７】
ブレンドされたデータはスケールを調整され、そして、または、ブロックの前面の寸法に調整される。スケールを調整されたデータのブレンドは、個々にスキャンされた岩の表面からブレンドされた１つの岩の表面を表している。このスケールが調整された、ブレンドデータは３または４軸の数値制御フライス盤に、ストリッパーシュー９４のフライス削りのために出力される。本発明の実施に適切なフライス盤は、ミクロンＶＣＰ６００（Ｍｉｋｒｏｎ  ＶＣＰ６００）で、ミクロンＡＧ（Ｍｉｋｒｏｎ  ＡＧ）ニダウのニダウ（Ｎｉｄａｕ  ｏｆ  Ｎｉｄａｕ）、スイスから入手可能である。このフライス盤はスケールを調整されたデータのブレンドによって表された岩の表面のミラーイメージをストリッパーシュー９４の面に切削する。そして、このストリッパーシューは、既知のやり方で、フライス盤に適切に取り付けられる。この結果、所定のパターンがシュー９４の面に切削され、これが、シュー９４がコンクリートを圧縮する際に、ブロックの前面に所定のパターンを刻印することになる。
【００６８】
この工程は同じかまたは異なった面のパターンを有する追加のシューを製作するために、繰り返すことができる。これは、パターンを有する各シューが磨耗を受け、このパターンが過度に摩滅した時に、シューの交換が必要になるため、有利である。さらに、多様な異なった所定のシューパターンを形成することによって、多様で異なったブロックの前面の外観が得られる。他のシューパターンは、複数の異なった岩の走査された表面を組み合わせることによって形成される。
【００６９】
以上のように、ブロック前面に得られた細部や浮き上がりは上記した従来の分離技術や上記した他の前面を傷つける（ｄｉｓｔｒｅｓｓｉｎｇ）技術によるものよりも明らかに優れている。所望であれば、シュー面に切削される浮き彫りの高さを増加または減少させるために走査データを処理することが可能である。これが、最終的にブロックの前面に施される浮き彫りを変えることになる。
【００７０】
ドライ成型メーソンリーコンクリートが、ストリッパーシュー９４のパターンを有する表面のような、成型表面に付着する傾向があることは、この分野で知られている。ドライ成型コンクリートからのストリッパーシュー９４の開放を向上する多様な技術が知られている。そして、それらの、１つ以上が本発明の実施に用いられるかも知れない。例えば、ストリッパーシューに形成されるパターンは開放を禁止するよりも、むしろ向上するように設計されねばならない。この点、適切な抜けこう配がパターンに使用されなければならない。上記のパターン形成技術は適切な抜けこう配を作り出すため、走査された画像の処理を可能としている。離型剤、例えば、油の細かい霧を、マシンサイクルの間にストリッパーシュー上に噴霧することが可能である。ヘッドの振動は、剥離の向上に使われ得る。そして、剥離を向上させるため、ストリッパーシューに熱を加えることが可能である。ドライ成型メーソンリーコンクリートの付着を防ぐ加熱モールド素子はこの分野で、既知である。本発明においては、ブロックの前面に与えられる、詳細なパターンのために、これは、付着を防ぐためより重要である。特に、温度の制御については、選定されたレベルに保たれるようにシューの温度を制御可能であることが重要である。
【００７１】
好ましくは図１１に図示されるように、ヒータ１００がシューを加熱するため、シュー９４に接続される。このヒータ１００は温度制御装置１０２によって、制御される。シュー９４上にサーモカップル１０４が取り付けられ、これがシューの温度を感知すると共にそして、この情報が、制御装置１０２とヒータ１００に電力を供給する、パワーコントロール装置１０６に中継される。このシステムは、サーモカップル１０４によって、感知されながら、シュー９４の温度が所定のレベル以下に、下がると、ヒータ１００に電力が与えられ、シューの温度を上げる。サーモカップルによって、感知されながら、シューの温度が所定レベルに達したとき、ヒータ１００は切られる。これにより、シュー温度は選定されたレベルに維持可能となる。好ましくは、制御装置１０２が、使われるドライ成型メーソンリーコンクリートに基づき、最小と最高の温度の選定を可能なように設計される。好ましい実施例では、ストリッパーシュー９４の表面温度は華氏１２０度と華氏１３０度の間に維持される。
【図面の簡単な説明】
【００７２】
【図１】図１は本発明の擁壁用ブロックの斜視図であり、ブロックは型枠で成型されている姿勢に方向づけられている。
【図２】図２は図１の擁壁用ブロックの底の平面図である。
【図３】図３は図１の擁壁用ブロックの側立面図である。
【図３Ａ】図３Ａは図３の点線の円内の擁壁用ブロック一部の詳細図である。
【図４】図４は本発明の複数ブロックにより構成される擁壁の１部の正面図である。
【図５】図５は本発明の工程を示すフローチャートである。
【図６】図６は本発明の工程を利用した、本発明の複数の擁壁用ブロックを形成するための複数の型枠キャビティを有する型枠アッセンブリの斜視図である。
【図７】図７は図６の型枠アッセンブリの上平面図である。
【図８】図８は型枠アッセンブリの端面図であって、対向し、収束し、旋廻する側壁を有する１つの型枠キャビティを示している。
【図９】図９は模式図で、ブロックの上面および下面を形成する側壁、ストリッパーシュー、および、型枠アッセンブリのパレットを示す。
【図１０】図１０はストリッパーシューの表面のパターンを示した斜視図である。
【図１１】図１１はストリッパーシューの温度制御を模式的に表した図である。
【図１２Ａ】図１２Ａは本発明の擁壁用ブロックの写真である。
【図１２Ｂ】図１２Ｂは本発明の擁壁用ブロックの写真である。
【図１２Ｃ】図１２Ｃは本発明の擁壁用ブロックの写真である。
【国際調査報告】
2005515090.tif 000018
2005515090.tif 000019
2005515090.tif 000020